(57)【特許請求の範囲】
【請求項１】
ワイヤレス通信の方法であって、
２の値を有する単一のスクランブリング識別子（ＩＤ）に少なくとも部分的に基づいて復調用基準信号（ＤＭ−ＲＳ）を生成することと、
０または１の値を有する単一のスクランブリングＩＤに少なくとも部分的に基づいて、ユーザ機器固有基準信号（ＵＥ−ＲＳ）を生成することと、前記ＤＭ−ＲＳについての前記単一のスクランブリングＩＤの前記値は、前記ＤＭ−ＲＳが前記ＵＥ−ＲＳと区別可能であるように、前記ＵＥ−ＲＳの前記単一のスクランブリングＩＤの前記値とは異なる、
サブフレームの少なくとも１つのデータ領域から選択されるリソースを使用する拡張制御チャネルのために前記ＤＭ−ＲＳを送信することと、
前記データ領域から選択されるリソースを使用するデータチャネルのために前記ＵＥ−ＲＳを送信することと
を備える方法。
【請求項２】
前記拡張制御チャネルは、拡張物理ダウンリンク制御チャネル（ＥＰＤＣＣＨ）を備え、前記データチャネルは、物理ダウンリンク共有チャネル（ＰＤＳＣＨ）を備える、請求項１に記載の方法。
【請求項３】
前記ＤＭ−ＲＳは、また、前記ＵＥ−ＲＳのセル識別子とは別々に設定されるセル識別子に少なくとも部分的に基づく、請求項１に記載の方法。
【請求項４】
前記セル識別子は、物理セル識別子（ＰＣＩ）を備える、請求項３に記載の方法。
【請求項５】
前記セル識別子は、仮想セル識別子を備える、請求項３に記載の方法。
【請求項６】
ワイヤレス通信の方法であって、
基準信号を受信することと、
前記基準信号が、拡張制御チャネルに関連付けられた復調用基準信号（ＤＭ−ＲＳ）であるか、データチャネルに関連付けられたユーザ機器固有基準信号（ＵＥ−ＲＳ）であるかを、単一のスクランブリング識別子（ＩＤ）の値に少なくとも部分的に基づいて判断することと、前記拡張制御チャネルはサブフレームの少なくとも１つのデータ領域から選択されるリソースを使用し、および前記データチャネルは前記データ領域から選択されるリソースを使用し、前記基準信号は、前記単一のスクランブリングＩＤの前記値が２である時、前記ＤＭ−ＲＳであり、前記基準信号は、前記単一のスクランブリングＩＤの前記値が０または１の時、前記ＵＥ−ＲＳであり、前記ＤＭ−ＲＳについての前記単一のスクランブリングＩＤの前記値は、前記ＤＭ−ＲＳが前記ＵＥ−ＲＳと区別可能であるように、前記ＵＥ−ＲＳの前記単一のスクランブリングＩＤの前記値とは異なる、
を備える方法。
【請求項７】
前記拡張制御チャネルは、拡張物理ダウンリンク制御チャネル（ＥＰＤＣＣＨ）を備え、前記データチャネルは、物理ダウンリンク共有チャネル（ＰＤＳＣＨ）を備える、請求項６に記載の方法。
【請求項８】
前記基準信号は、前記拡張制御チャネルおよび前記データチャネルに共通したセル識別子にさらに基づく、請求項６に記載の方法。
【請求項９】
前記基準信号は、
前記拡張制御チャネルについての第１のセル識別子と、
前記データチャネルについての第２のセル識別子と
にさらに基づき、前記第２のセル識別子は、前記第１のセル識別子とは別々に設定される、請求項６に記載の方法。
【請求項１０】
前記基準信号は、物理リソースブロック（ＰＲＢ）内で受信される、請求項６に記載の方法。
【請求項１１】
ワイヤレス通信の方法であって、
セルから基準信号を受信することと、
前記基準信号に関連付けられたチャネルが、前記基準信号が復調用基準信号（ＤＭ−ＲＳ）であるような拡張制御チャネルであるのか、または前記基準信号がユーザ機器固有基準信号（ＵＥ−ＲＳ）であるようなデータチャネルであるのか、を判断することと、前記拡張制御チャネルはサブフレームの少なくとも１つのデータ領域から選択されるリソースを使用し、および前記データチャネルは前記データ領域から選択されるリソースを使用する、
前記判断されたチャネルに基づいて前記基準信号についての単一のスクランブリング識別子（ＩＤ）の値を判断することと、前記値は前記ＤＭ−ＲＳについては２であり、前記値は前記ＵＥ−ＲＳについては０または１であり、前記ＤＭ−ＲＳについての前記単一のスクランブリングＩＤの前記値は、前記ＤＭ−ＲＳが前記ＵＥ−ＲＳと区別可能であるように、前記ＵＥ−ＲＳの前記単一のスクランブリングＩＤの前記値とは異なる、
前記判断された値に少なくとも部分的に基づいて、前記判断されたチャネルを処理することと
を備える方法。
【請求項１２】
前記拡張制御チャネルは、拡張物理ダウンリンク制御チャネル（ＥＰＤＣＣＨ）を備え、前記データチャネルは、物理ダウンリンク共有チャネル（ＰＤＳＣＨ）を備える、請求項１１に記載の方法。
【請求項１３】
前記基準信号は、セル識別子にさらに基づき、前記セル識別子は、前記ＵＥ−ＲＳおよび前記ＤＭ−ＲＳについて別々に設定される、請求項１１に記載の方法。
【請求項１４】
前記セル識別子は、物理セル識別子（ＰＣＩ）を備える、請求項１３に記載の方法。
【請求項１５】
前記セル識別子は、仮想セル識別子を備える、請求項１３に記載の方法。
【請求項１６】
前記基準信号は、物理リソースブロック（ＰＲＢ）内で受信される、請求項１１に記載の方法。
【請求項１７】
ワイヤレス通信のための装置であって、
メモリと、
前記メモリに結合された少なくとも１つのプロセッサと
を備え、前記少なくとも１つのプロセッサは、
２の値を有する単一のスクランブリング識別子（ＩＤ）に少なくとも部分的に基づいて復調用基準信号（ＤＭ−ＲＳ）を生成することと、
０または１の値を有する単一のスクランブリングＩＤに少なくとも部分的に基づいて、ユーザ機器固有基準信号（ＵＥ−ＲＳ）を生成することと、前記ＤＭ−ＲＳについての前記単一のスクランブリングＩＤの前記値は、前記ＤＭ−ＲＳが前記ＵＥ−ＲＳと区別可能であるように、前記ＵＥ−ＲＳの前記単一のスクランブリングＩＤの前記値とは異なる、
サブフレームの少なくとも１つのデータ領域から選択されるリソースを使用する拡張制御チャネルのために前記ＤＭ−ＲＳを送信することと、
前記データ領域から選択されるリソースを使用するデータチャネルのために前記ＵＥ−ＲＳを送信することと
を行うように構成される、装置。
【請求項１８】
前記拡張制御チャネルは、拡張物理ダウンリンク制御チャネル（ＥＰＤＣＣＨ）を備え、前記データチャネルは、物理ダウンリンク共有チャネル（ＰＤＳＣＨ）を備える、請求項１７に記載の装置。
【請求項１９】
前記ＤＭ−ＲＳは、前記ＵＥ−ＲＳのセル識別子とは別々に設定されるセル識別子にさらに基づく、請求項１７に記載の装置。
【請求項２０】
前記セル識別子は、物理セル識別子（ＰＣＩ）を備える、請求項１９に記載の装置。
【請求項２１】
前記セル識別子は、仮想セル識別子を備える、請求項１９に記載の装置。
【請求項２２】
ワイヤレス通信のための装置であって、
メモリと、
前記メモリに結合された少なくとも１つのプロセッサと
を備え、前記少なくとも１つのプロセッサは、
基準信号を受信することと、
前記基準信号が、拡張制御チャネルに関連付けられた復調用基準信号（ＤＭ−ＲＳ）であるか、データチャネルに関連付けられたユーザ機器固有基準信号（ＵＥ−ＲＳ）であるかを、単一のスクランブリング識別子（ＩＤ）の値に少なくとも部分的に基づいて判断することと、前記拡張制御チャネルはサブフレームの少なくとも１つのデータ領域から選択されるリソースを使用し、および前記データチャネルは前記データ領域から選択されるリソースを使用し、前記基準信号は、前記単一のスクランブリングＩＤの前記値が２である時、前記ＤＭ−ＲＳであり、前記基準信号は、前記単一のスクランブリングＩＤの前記値が０または１の時、前記ＵＥ−ＲＳであり、前記ＤＭ−ＲＳについての前記単一のスクランブリングＩＤの前記値は、前記ＤＭ−ＲＳが前記ＵＥ−ＲＳと区別可能であるように、前記ＵＥ−ＲＳの前記単一のスクランブリングＩＤの前記値とは異なる、
を行うように構成される、装置。
【請求項２３】
前記基準信号は、復調用基準信号（ＤＭ−ＲＳ）を備える、請求項２２に記載の装置。
【請求項２４】
前記拡張制御チャネルは、拡張物理ダウンリンク制御チャネル（ＥＰＤＣＣＨ）を備え、前記データチャネルは、物理ダウンリンク共有チャネル（ＰＤＳＣＨ）を備える、請求項２２に記載の装置。
【請求項２５】
前記基準信号は、前記拡張制御チャネルおよび前記データチャネルに共通したセル識別子にさらに基づく、請求項２２に記載の装置。
【請求項２６】
前記基準信号は、
前記拡張制御チャネルについての第１のセル識別子と、
前記データチャネルについての第２のセル識別子と、
にさらに基づき、前記第２のセル識別子は、前記第１のセル識別子とは別々に設定される、請求項２２に記載の装置。
【請求項２７】
前記基準信号は、物理リソースブロック（ＰＲＢ）内で受信される、請求項２２に記載の装置。
【請求項２８】
ワイヤレス通信のための装置であって、
メモリと、
前記メモリに結合された少なくとも１つのプロセッサと
を備え、前記少なくとも１つのプロセッサは、
セルから基準信号を受信することと、
前記基準信号に関連付けられたチャネルが、前記基準信号が復調用基準信号（ＤＭ−ＲＳ）であるような拡張制御チャネルであるのか、または前記基準信号がユーザ機器固有基準信号（ＵＥ−ＲＳ）であるようなデータチャネルであるのか、を判断することと、前記拡張制御チャネルはサブフレームの少なくとも１つのデータ領域から選択されるリソースを使用し、および前記データチャネルは前記データ領域から選択されるリソースを使用する、
前記判断されたチャネルに基づいて前記基準信号についての単一のスクランブリング識別子（ＩＤ）の値を判断することと、前記値は前記ＤＭ−ＲＳについては２であり、前記値は前記ＵＥ−ＲＳについては０または１であり、前記ＤＭ−ＲＳについての前記単一のスクランブリングＩＤの前記値は、前記ＤＭ−ＲＳが前記ＵＥ−ＲＳと区別可能であるように、前記ＵＥ−ＲＳの前記単一のスクランブリングＩＤの前記値とは異なる、
前記判断されたスクランブリングＩＤの値に少なくとも部分的に基づいて、前記判断されたチャネルを処理することと
を行うように構成される、装置。
【請求項２９】
前記拡張制御チャネルは、拡張物理ダウンリンク制御チャネル（ＥＰＤＣＣＨ）を備え、前記データチャネルは、物理ダウンリンク共有チャネル（ＰＤＳＣＨ）を備える、請求項２８に記載の装置。
【請求項３０】
前記基準信号は、セル識別子にさらに基づき、前記セル識別子は、前記ＵＥ−ＲＳおよび前記ＤＭ−ＲＳについて別々に設定される、請求項２８に記載の装置。
【請求項３１】
前記セル識別子は、物理セル識別子（ＰＣＩ）を備える、請求項３０に記載の装置。
【請求項３２】
前記セル識別子は、仮想セル識別子を備える、請求項３０に記載の装置。
【請求項３３】
前記基準信号は、物理リソースブロック（ＰＲＢ）内で受信されることを備える、請求項２８に記載の装置。
【請求項３４】
ワイヤレス通信のための装置であって、
２の値を有する単一のスクランブリング識別子（ＩＤ）に少なくとも部分的に基づいて復調用基準信号（ＤＭ−ＲＳ）を生成するための手段と、
０または１の値を有する単一のスクランブリングＩＤに少なくとも部分的に基づいて、ユーザ機器固有基準信号（ＵＥ−ＲＳ）を生成するための手段と、前記ＤＭ−ＲＳについての前記単一のスクランブリングＩＤの前記値は、前記ＤＭ−ＲＳが前記ＵＥ−ＲＳと区別可能であるように、前記ＵＥ−ＲＳの前記単一のスクランブリングＩＤの前記値とは異なる、
サブフレームの少なくとも１つのデータ領域から選択されるリソースを使用する拡張制御チャネルのために前記ＤＭ−ＲＳを送信するための手段と、
前記データ領域から選択されるリソースを使用するデータチャネルのために前記ＵＥ−ＲＳを送信するための手段と
を備える装置。
【請求項３５】
ワイヤレス通信のための装置であって、
基準信号を受信するための手段と、
前記基準信号が、拡張制御チャネルに関連付けられた復調用基準信号（ＤＭ−ＲＳ）であるか、データチャネルに関連付けられたユーザ機器固有基準信号（ＵＥ−ＲＳ）であるかを、単一のスクランブリング識別子（ＩＤ）の値に少なくとも部分的に基づいて判断するための手段と、前記拡張制御チャネルはサブフレームの少なくとも１つのデータ領域から選択されるリソースを使用し、および前記データチャネルは前記データ領域から選択されるリソースを使用し、前記基準信号は、前記単一のスクランブリングＩＤの前記値が２である時、前記ＤＭ−ＲＳであり、前記基準信号は、前記単一のスクランブリングＩＤの前記値が０または１の時、前記ＵＥ−ＲＳであり、前記ＤＭ−ＲＳについての前記単一のスクランブリングＩＤの前記値は、前記ＤＭ−ＲＳが前記ＵＥ−ＲＳと区別可能であるように、前記ＵＥ−ＲＳの前記単一のスクランブリングＩＤの前記値とは異なる、
を備える装置。
【請求項３６】
ワイヤレス通信のための装置であって、
セルから基準信号を受信するための手段と、
前記基準信号に関連付けられたチャネルが、前記基準信号が復調用基準信号（ＤＭ−ＲＳ）であるような拡張制御チャネルであるのか、または前記基準信号がユーザ機器固有基準信号（ＵＥ−ＲＳ）であるようなデータチャネルであるのか、を判断するための手段と、前記拡張制御チャネルはサブフレームの少なくとも１つのデータ領域から選択されるリソースを使用し、および前記データチャネルは前記データ領域から選択されるリソースを使用する、
前記基準信号についての単一のスクランブリング識別子（ＩＤ）の値を、前記判断されたチャネルに基づいて判断するための手段と、前記値は前記ＤＭ−ＲＳについては２であり、前記値は前記ＵＥ−ＲＳについては０または１であり、前記ＤＭ−ＲＳについての前記単一のスクランブリングＩＤの前記値は、前記ＤＭ−ＲＳが前記ＵＥ−ＲＳと区別可能であるように、前記ＵＥ−ＲＳの前記単一のスクランブリングＩＤの前記値とは異なる、
前記単一のスクランブリングＩＤの判断された前記値に少なくとも部分的に基づいて、前記判断されたチャネルを処理するための手段と
を備える装置。
【請求項３７】
記録されたプログラムコードを有する非一時的コンピュータ可読媒体であって、前記プログラムコードは、
２の値を有する単一のスクランブリング識別子（ＩＤ）に少なくとも部分的に基づいて復調用基準信号（ＤＭ−ＲＳ）を生成するためのプログラムコードと、
０または１の値を有する単一のスクランブリングＩＤに少なくとも部分的に基づいて、ユーザ機器固有基準信号（ＵＥ−ＲＳ）を生成するためのプログラムコードと、前記ＤＭ−ＲＳについての前記単一のスクランブリングＩＤの前記値は、前記ＤＭ−ＲＳが前記ＵＥ−ＲＳと区別可能であるように、前記ＵＥ−ＲＳの前記単一のスクランブリングＩＤの前記値とは異なる、
サブフレームの少なくとも１つのデータ領域から選択されるリソースを使用する拡張制御チャネルのために前記ＤＭ−ＲＳを送信するためのプログラムコードと、
前記データ領域から選択されるリソースを使用するデータチャネルのために前記ＵＥ−ＲＳを送信するためのプログラムコードと
を備える、非一時的コンピュータ可読媒体。
【請求項３８】
記録されたプログラムコードを有する非一時的コンピュータ可読媒体であって、前記プログラムコードは、
基準信号を受信するためのプログラムコードと、
前記基準信号が、拡張制御チャネルに関連付けられた復調用基準信号（ＤＭ−ＲＳ）であるか、データチャネルに関連付けられたユーザ機器固有基準信号（ＵＥ−ＲＳ）であるかを、単一のスクランブリング識別子（ＩＤ）の値に少なくとも部分的に基づいて判断するためのプログラムコードと、前記拡張制御チャネルはサブフレームの少なくとも１つのデータ領域から選択されるリソースを使用し、および前記データチャネルは前記データ領域から選択されるリソースを使用し、前記基準信号は、前記単一のスクランブリングＩＤの前記値が２である時、前記ＤＭ−ＲＳであり、前記基準信号は、前記単一のスクランブリングＩＤの前記値が０または１の時、前記ＵＥ−ＲＳであり、前記ＤＭ−ＲＳについての前記単一のスクランブリングＩＤの前記値は、前記ＤＭ−ＲＳが前記ＵＥ−ＲＳと区別可能であるように、前記ＵＥ−ＲＳの前記単一のスクランブリングＩＤの前記値とは異なる、
を備える、非一時的コンピュータ可読媒体。
【請求項３９】
記録されたプログラムコードを有する非一時的コンピュータ可読媒体であって、前記プログラムコードは、
セルから基準信号を受信するためのプログラムコードと、
前記基準信号に関連付けられたチャネルが、前記基準信号が復調用基準信号（ＤＭ−ＲＳ）であるような拡張制御チャネルであるのか、または前記基準信号がユーザ機器固有基準信号（ＵＥ−ＲＳ）であるようなデータチャネルであるのか、を判断するためのプログラムコードと、前記拡張制御チャネルはサブフレームの少なくとも１つのデータ領域から選択されるリソースを使用し、および前記データチャネルは前記データ領域から選択されるリソースを使用する、
前記基準信号についての単一のスクランブリング識別子（ＩＤ）の値を、前記判断されたチャネルに基づいて判断するためのプログラムコードと、前記値は前記ＤＭ−ＲＳについては２であり、前記値は前記ＵＥ−ＲＳについては０または１であり、前記ＤＭ−ＲＳについての前記単一のスクランブリングＩＤの前記値は、前記ＤＭ−ＲＳが前記ＵＥ−ＲＳと区別可能であるように、前記ＵＥ−ＲＳの前記単一のスクランブリングＩＤの前記値とは異なる、
前記判断されたスクランブリングＩＤの値に少なくとも部分的に基づいて、前記判断されたチャネルを処理するためのプログラムコードと
を備える、非一時的コンピュータ可読媒体。
【発明の詳細な説明】
【関連出願への相互参照】
【０００１】
[0001]  本願は、米国特許法第１１９（ｅ）に基づき、２０１２年１０月８日に出願された「REFERENCE SIGNALS FOR ENHANCED PHYSICAL DOWNLINK CONTROL CHANNEL」と題する米国仮特許出願第６１／７１１，１４３号および２０１２年１０月８日に出願された「REFERENCE SIGNALS FOR ENHANCED PHYSICAL DOWNLINK CONTROL CHANNEL」と題する米国仮特許出願第６１／７１１，１８２号への利益を主張し、これらの開示は、それら全体が参照によって明確に組み込まれる。
【技術分野】
【０００２】
[0002]  本開示の態様は一般に、ワイヤレス通信システムに関し、より具体的には、拡張制御チャネルのための基準信号に関する。
【背景技術】
【０００３】
[0003]  電話通信、ビデオ、データ、メッセージング、ブロードキャストといった様々な電気通信サービスを提供するために、ワイヤレス通信システムが広く展開されている。典型的なワイヤレス通信システムは、利用可能なシステムリソース（例えば、帯域幅、送信電力）を共有することにより多数のユーザとの通信をサポートすることが可能な多元接続技術を用いうる。そのような多元接続技術の例には、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、単一キャリア周波数分割多元接続（ＳＣ−ＦＤＭＡ）システム、および時分割同期符号分割多元接続（ＴＤ−ＳＣＤＭＡ）システムが含まれる。
【０００４】
[0004]  これらの多元接続技術は、異なるワイヤレスデバイスが、市区町村レベル、国レベル、地方レベルだけでなく、世界的なレベルで通信することを可能にする共通のプロトコルを提供するために、様々な電気通信規格に採用されている。新興の電気通信規格の例は、ロングタームエボリューション（ＬＴＥ）である。ＬＴＥは、第３世代パートナシッププロジェクト（３ＧＰＰ）によって公表されたユニバーサルモバイルテレコミュニケーションシステム（ＵＭＴＳ）モバイル規格に対する拡張のセットである。スペクトル効率を改善することによってモバイルブロードバンドインターネットアクセスをより快適にサポートし、コストを下げ、サービスを向上させ、新しいスペクトルを利用し、および、ダウンリンク（ＤＬ）にＯＦＤＭＡを、アップリンク（ＵＬ）にＳＣ−ＦＤＭＡを使用し、かつ、多入力多出力（ＭＩＭＯ）アンテナ技術を使用する他のオープン規格より適切に組み込まれるように、それは設計されている。しかしながら、モバイルブロードバンドアクセスに対する需要が増加し続けるのに伴い、ＬＴＥ技術にはさらなる改良が必要とされる。これらの改良が、これらの技術を用いる他の多元接続技術および電気通信規格に適用可能であることが望ましい。
【発明の概要】
【０００５】
[0005]  本開示の一態様では、ワイヤレス通信の方法が開示される。方法は、第１のスクランブリング識別子（ＩＤ）に少なくとも部分的に基づいて第１の基準信号を生成することを含む。方法はまた、第１のスクランブリングＩＤとは異なる第２のスクランブリングＩＤに少なくとも部分的に基づいて第２の基準信号を生成することを含む。方法は、制御チャネルのために第１の基準信号を送信することをさらに含む。方法は、データチャネルのために第２の基準信号を送信することをさらに含む。
【０００６】
[0006]  本開示の別の態様は、第１のスクランブリングＩＤに少なくとも部分的に基づいて第１の基準信号を生成するための手段を含む装置を開示する。装置はまた、第１のスクランブリングＩＤとは異なる第２のスクランブリングＩＤに少なくとも部分的に基づいて第２の基準信号を生成するための手段を含む。装置は、制御チャネルのために第１の基準信号を送信するための手段をさらに含む。装置は、データチャネルのために第２の基準信号を送信するための手段をさらに含む。
【０００７】
[0007]  本開示の別の態様では、非一時的コンピュータ可読媒体を有する、ワイヤレスネットワークにおけるワイヤレス通信のためのコンピュータプログラム製品が開示されている。コンピュータ可読媒体は、非一時的プログラムコードを記憶しており、非一時的プログラムコードは、プロセッサによって実行されると、第１のスクランブリングＩＤに少なくとも部分的に基づいて第１の基準信号を生成する動作を実行することをプロセッサに行わせる。プログラムコードはまた、第１のスクランブリングＩＤとは異なる第２のスクランブリングＩＤに少なくとも部分的に基づいて第２の基準信号を生成することをプロセッサに行わせる。プログラムコードは、さらに、制御チャネルのために第１の基準信号を送信することをプロセッサに行わせる。プログラムコードは、さらに、データチャネルのために第２の基準信号を送信することをプロセッサに行わせる。
【０００８】
[0008]  本開示の別の態様は、メモリと、メモリに結合された少なくとも１つのプロセッサとを有するワイヤレス通信装置を開示する。プロセッサは、第１のスクランブリングＩＤに少なくとも部分的に基づいて第１の基準信号を生成するように構成される。プロセッサはまた、第１のスクランブリングＩＤとは異なる第２のスクランブリングＩＤに少なくとも部分的に基づいて第２の基準信号を生成するように構成される。プロセッサは、制御チャネルのために第１の基準信号を送信するようにさらに構成される。プロセッサは、データチャネルのために第２の基準信号を送信するようにさらに構成される。本開示の一態様では、ワイヤレス通信の方法が開示される。方法は、基準信号を受信することを含む。方法はまた、基準信号が制御チャネルに関連付けられているかデータチャネルに関連付けられているかを、スクランブリングＩＤに基づいて判断することを含む。
【０００９】
[0009]  本開示の別の態様は、第１のスクランブリングＩＤに少なくとも部分的に基づいて第１の基準信号を生成するための手段を含む装置を開示する。装置はまた、基準信号を受信するための手段を含む。装置は、基準信号が制御チャネルに関連付けられているかデータチャネルに関連付けられているかを、スクランブリングＩＤに基づいて判断するための手段をさらに含む。
【００１０】
[0010]  別の態様では、非一時的コンピュータ可読媒体を有する、ワイヤレスネットワークにおけるワイヤレス通信のためのコンピュータプログラム製品が開示される。コンピュータ可読媒体は、非一時的プログラムコードを記憶しており、この非一時的プログラムコードは、プロセッサによって実行されると、基準信号を受信する動作を実行することをプロセッサに行わせる。プログラムコードは、さらに、基準信号が制御チャネルに関連付けられているかデータチャネルに関連付けられているかを、スクランブリングＩＤに基づいて判断することをプロセッサに行わせる。
【００１１】
[0011]  本開示の別の態様は、メモリと、メモリに結合された少なくとも１つのプロセッサとを有するワイヤレス通信装置を開示する。プロセッサは、基準信号を受信するように構成される。プロセッサはまた、基準信号が制御チャネルに関連付けられているかデータチャネルに関連付けられているかを、スクランブリングＩＤに基づいて判断するように構成される。
【００１２】
[0012]  本開示の一態様では、ワイヤレス通信の方法が開示される。方法は、セルから基準信号を受信することを含む。方法はまた、基準信号に関連付けられたチャネルを判断することを含む。方法は、判断されたチャネルに基づいて、基準信号についてのスクランブリングＩＤを判断することをさらに含む。方法は、判断されたスクランブリングＩＤに少なくとも部分的に基づいて、判断されたチャネルを処理することをさらに含む。
【００１３】
[0013]  本開示の別の態様は、セルから基準信号を受信するための手段を含む装置を開示する。装置はまた、基準信号に関連付けられたチャネルを判断するための手段を含む。装置は、判断されたチャネルに基づいて、基準信号についてのスクランブリングＩＤを判断するための手段をさらに含む。装置は、判断されたスクランブリングＩＤに少なくとも部分的に基づいて、判断されたチャネルを処理するための手段をさらに含む。
【００１４】
[0014]  本開示の別の態様では、非一時的コンピュータ可読媒体を有する、ワイヤレスネットワークにおけるワイヤレス通信のためのコンピュータプログラム製品が開示される。コンピュータ可読媒体は、非一時的プログラムコードを記憶しており、この非一時的プログラムコードは、プロセッサによって実行されると、セルから基準信号を受信する動作を実行することをプロセッサに行わせる。プログラムコードはまた、基準信号に関連付けられたチャネルを判断することをプロセッサに行わせる。プログラムコードは、さらに、判断されたチャネルに基づいて、基準信号についてのスクランブリングＩＤを判断することをプロセッサに行わせる。プログラムコードは、さらに、判断されたスクランブリングＩＤに少なくとも部分的に基づいて、判断されたチャネルを処理することをプロセッサに行わせる。
【００１５】
[0015]  本開示の別の態様は、メモリと、メモリに結合された少なくとも１つのプロセッサとを有するワイヤレス通信装置を開示する。プロセッサは、セルから基準信号を受信するように構成される。プロセッサはまた、基準信号に関連付けられたチャネルを判断するように構成される。プロセッサは、判断されたチャネルに基づいて、基準信号についてのスクランブリングＩＤを判断するようにさらに構成される。プロセッサは、判断されたスクランブリングＩＤに少なくとも部分的に基づいて、判断されたチャネルを処理するようにさらに構成される。
【００１６】
[0016]  本開示の追加の特徴および利点が以下に説明されるだろう。この開示が、本開示の目的と同じ目的を実行するための他の構造を改良または設計するための基礎として容易に利用されうることは、当業者によって認識されるべきである。そのような同等の解釈が、添付された特許請求の範囲に示される本開示の教示から逸脱しないことも、当業者によって認識されるべきである。本開示の構成および動作の方法の両方について、本開示の特性であると考えられる新規な特徴は、さらなる目的および利点とともに、添付の図面と関連して考慮されるとき以下の説明からより良く理解されるであろう。しかしながら、図の各々が例示および説明のためだけに提供されており、本開示の限定の定義として意図されていないということは明確に理解されるべきである。
【００１７】
[0017]  本開示の特徴、性質、および利点は、全体を通し同様の参照文字が相応して識別する図面と併せて考慮したとき、以下に示される詳細な説明からより明白になるであろう。
【図面の簡単な説明】
【００１８】
【図１】[0018]  図１は、ネットワークアーキテクチャの例を例示する図である。
【図２】[0019]  図２は、アクセスネットワークの例を例示する図である。
【図３】[0020]  図３は、ＬＴＥにおけるダウンリンクフレーム構造の例を例示する図である。
【図４】[0021]  図４は、ＬＴＥにおけるアップリンクフレーム構造の例を例示する図である。
【図５】[0022]  図５は、ユーザプレーンおよび制御プレーンのための無線プロトコルアーキテクチャの例を例示する図である。
【図６】[0023]  図６は、アクセスネットワークにおける発展型ノードＢおよびユーザ機器の例を例示する図である。
【図７】[0024]  図７は、様々な拡張制御チャネル構造を例示するブロック図である。
【図８Ａ】[0025]  図８Ａは、本開示の態様に準じた、拡張制御チャネル復調用基準信号を生成するための方法を例示するブロック図である。
【図８Ｂ】[0026]  図８Ｂは、本開示の態様に準じた、拡張制御チャネル復調用基準信号を検出するための方法を例示するブロック図である。
【図９】[0027]  図９は、例示的な装置における異なるモジュール／手段／構成要素を例示するブロック図である。
【図１０】[0028]  図１０は、例示的な装置における異なるモジュール／手段／構成要素を例示するブロック図である。
【図１１】[0029]  図１１は、本開示の態様に準じた、拡張制御チャネル復調用基準信号を検出するための方法を例示するブロック図である。
【図１２】[00307]  図１２は、例示的な装置における異なるモジュール／手段／構成要素を例示するブロック図である。
【詳細な説明】
【００１９】
[0031]  添付の図面と関連して以下に示される詳細な説明は、様々な構成の説明を意図したものであり、本明細書において説明される概念が実施されうる唯一の構成を表すことを意図したものではない。この詳細な説明は、様々な概念の徹底した理解を提供することを目的とした特定の詳細を含む。しかしながら、これらの概念がこれらの特定の詳細なしで実施されうることは、当業者には明らかであろう。いくつかの事例では、このような概念をあいまいにしないために、周知の構造および構成要素がブロック図の形式で示されている。
【００２０】
[0032]  電気通信システムの態様が、様々な装置および方法に関連して提示される。これらの装置および方法は、以下の詳細な説明において説明され、添付の図面では、様々なブロック、モジュール、構成要素、回路、ステップ、プロセス、アルゴリズム、等（総称して「エレメント」と呼ばれる）によって例示される。これらのエレメントは、電子ハードウェア、コンピュータソフトウェア、またはそれらの任意の組み合わせを使用して実現されうる。そのようなエレメントがハードウェアとして実現されるかソフトウェアとして実現されるかは、特定の用途およびシステム全体に課された設計制約に依存する。
【００２１】
[0033]  例として、１つのエレメント、または１つのエレメントの任意の一部分、または複数のエレメントからなる任意の組み合わせは、１つまたは複数のプロセッサを含む「処理システム」で実現されうる。プロセッサの例には、マイクロプロセッサ、マイクロコントローラ、デジタルシグナルプロセッサ（ＤＳＰ）、フィールドプログラマブルゲートアレイ（ＦＰＧＡ）、プログラマブル論理デバイス（ＰＬＤ）、ステートマシン、ゲート論理、ディスクリートハードウェア回路、および本開示を通して説明される様々な機能を実行するように構成された他の適切なハードウェアが含まれる。処理システム内の１つまたは複数のプロセッサは、ソフトウェアを実行しうる。ソフトウェアは、ソフトウェア、ファームウェア、ミドルウェア、マイクロコード、ハードウェア記述言語と呼ばれる場合も、それ以外の名称で呼ばれる場合も、命令、命令のセット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数、等を意味するものと広く解釈されるものとする。
【００２２】
[0034]  結果として、１つまたは複数の例示的な実施形態では、説明される機能は、ハードウェアで、ソフトウェアで、ファームウェアで、またはこれらの任意の組み合わせで実現されうる。ソフトウェアで実現される場合、これらの機能は、非一時的コンピュータ可読媒体上の１つまたは複数の命令またはコードとして記憶または符号化される。コンピュータ可読媒体はコンピュータ記憶媒体を含む。記憶媒体は、コンピュータによりアクセスされることができる任意の利用可能な媒体でありうる。限定ではなく例として、そのようなコンピュータ可読媒体は、ＲＡＭ、ＲＯＭ、ＥＥＰＲＯＭ（登録商標）、ＣＤ−ＲＯＭまたは他の光ディスク記憶装置、磁気ディスク記憶装置または他の磁気記憶デバイス、あるいは、データ構造または命令の形式で所望のプログラムコードを記憶または搬送するために使用されることができ、かつコンピュータによってアクセスされることができるその他の媒体を備えうる。ディスク（ｄｉｓｋ）とディスク（ｄｉｓｃ）は、本明細書で使用される場合、コンパクトディスク（登録商標）（ＣＤ）、レーザーディスク（登録商標）、光ディスク、デジタル多用途ディスク（ＤＶＤ）、フロッピー（登録商標）ディスク、ブルーレイ（登録商標）ディスクを含み、ディスク（ｄｉｓｋ）は、通常磁気作用によってデータを再生し、ディスク（ｄｉｓｃ）はレーザーで光学的にデータを再生する。上記の組み合わせもまた、コンピュータ可読媒体の適用範囲内に含まれるべきである。
【００２３】
[0035]  図１は、ＬＴＥネットワークアーキテクチャ１００を例示する図である。ＬＴＥネットワークアーキテクチャ１００は、発展型パケットシステム（ＥＰＳ）１００と呼ばれうる。ＥＰＳ １００は、１つまたは複数のユーザ機器（ＵＥ）１０２、発展型ＵＭＴＳ地上無線アクセスネットワーク（Ｅ−ＵＴＲＡＮ）１０４、発展型パケットコア（ＥＰＣ）１１０、ホーム加入者サーバ（ＨＳＳ）１２０、およびオペレータのＩＰサービス１２２を含みうる。ＥＰＳは、他のアクセスネットワークと相互接続することができるが、簡潔化のために、それらのエンティティ／インターフェースは示されていない。示されるように、ＥＰＳはパケット交換サービスを提供するが、当業者が容易に理解するように、本開示全体を通して提示される様々な概念は、回路交換サービスを提供するネットワークにまで拡張されうる。
【００２４】
[0036]  Ｅ−ＵＴＲＡＮは、発展型ノードＢ（ｅノードＢ）１０６および他のｅノードＢ １０８を含む。ｅノードＢ １０６は、ＵＥ １０２に向けてユーザプレーンおよび制御プレーンのプロトコル終端を提供する。ｅノードＢ １０６は、バックホール（すなわち、Ｘ２インターフェース）を介して他のｅノードＢ １０８に接続されうる。ｅノードＢ １０６はまた、基地局、トランシーバ基地局、無線基地局、無線トランシーバ、トランシーバ機能、基本サービスセット（ＢＳＳ）、拡張サービスセット（ＥＳＳ）、または何らかの他の適切な専門用語で呼ばれうる。ｅノードＢ １０６は、ＥＰＣ １１０へのアクセスポイントをＵＥ １０２に提供する。ＵＥ １０２の例には、セルラ電話、スマートフォン、セッション開始プロトコル（ＳＩＰ）電話、ラップトップ、携帯情報端末（ＰＤＡ）、衛星ラジオ、全地球測位システム、マルチメディアデバイス、ビデオデバイス、デジタルオーディオプレーヤ（例えば、ＭＰ３プレーヤ）、カメラ、ゲーム機器、またはその他の同様に機能するデバイスが含まれる。ＵＥ １０２はまた、当業者によって、モバイル局、加入者局、モバイルユニット、加入者ユニット、ワイヤレスユニット、遠隔ユニット、モバイルデバイス、ワイヤレスデバイス、ワイヤレス通信デバイス、遠隔デバイス、モバイル加入者局、アクセス端末、モバイル端末、ワイヤレス端末、遠隔端末、ハンドセット、ユーザエージェント、モバイルクライアント、クライアント、または何らかの他の適切な専門用語でも呼ばれうる。
【００２５】
[0037]  ｅノードＢ １０６は、例えばＳ１インターフェースを介してＥＰＣ １１０に接続される。ＥＰＣ １１０は、モビリティ管理エンティティ（ＭＭＥ）１１２、他のＭＭＥ １１４、サービングゲートウェイ１１６、およびパケットデータネットワーク（ＰＤＮ）ゲートウェイ１１８を含む。ＭＭＥ １１２は、ＵＥ １０２とＥＰＣ １１０との間のシグナリングを処理する制御ノードである。一般に、ＭＭＥ １１２は、ベアラおよび接続の管理を提供する。すべてのユーザＩＰパケットは、自体がＰＤＮゲートウェイ１１８に接続されるサービングゲートウェイ１１６を通して転送さる。ＰＤＮゲートウェイ１１８は、ＵＥのＩＰアドレスの割振りに加え他の機能を提供する。ＰＤＮゲートウェイ１１８は、オペレータのＩＰサービス１２２に接続される。オペレータのＩＰサービス１２２は、インターネット、イントラネット、ＩＰマルチメディアサブシステム（ＩＭＳ）、およびＰＳストリーミングサービス（ＰＳＳ）を含みうる。
【００２６】
[0038]  図２は、ＬＴＥネットワークアーキテクチャにおけるアクセスネットワーク２００の例を例示する図である。この例では、アクセスネットワーク２００が、多数のセルラ領域（セル）２０２に分割されている。１つまたは複数のより低い電力クラスのｅノードＢ ２０８は、セル２０２のうちの１つまたは複数と重複するセルラ領域２１０を有しうる。より低い電力クラスのｅノードＢ ２０８は、遠隔無線ヘッド（ＲＲＨ）、フェムトセル（例えば、ホームｅノードＢ（ＨｅＮＢ））、ピコセル、またはマイクロセルでありうる。マクロｅノードＢ ２０４は、各々、それぞれのセル２０２に割り当てられ、セル２０２内のすべてのＵＥ ２０６に対して、ＥＰＣ １１０へのアクセスポイントを提供するように構成される。この例のアクセスネットワーク２００には集中コントローラが存在しないが、代替的な構成では、集中コントローラが使用されうる。ｅノードＢ ２０４は、無線ベアラ制御、アドミッション制御、モビリティ制御、スケジューリング、セキュリティ、およびサービングゲートウェイ１１６への接続性を含む、すべての無線関連機能を担う。
【００２７】
[0039]  アクセスネットワーク２００によって用いられる変調および多元接続スキームは、展開されている特定の電気通信規格に依存して変動しうる。ＬＴＥアプリケーションでは、周波数分割複信（ＦＤＤ）および時分割複信（ＴＤＤ）の両方をサポートするために、ＯＦＤＭがダウンリンクに使用され、ＳＣ−ＦＤＭＡがアップリンクに使用される。以下の詳細な説明から当業者が容易に理解するように、本明細書に提示される様々な概念は、ＬＴＥアプリケーションによく適している。しかしながら、これらの概念は、他の変調および多元接続技術を用いる他の電気通信規格にまで容易に拡張されうる。例として、これらの概念は、ＥＶ−ＤＯ（Evolution-Data Optimized）またはウルトラモバイルブロードバンド（ＵＭＢ）にまで拡張されうる。ＥＶ−ＤＯおよびＵＭＢは、ＣＤＭＡ２０００ファミリの規格の一部として第３世代パートナーシッププロジェクト２（３ＧＰＰ２）により発表されたエアインターフェース規格であり、モバイル局へのブロードバンドインターネットアクセスを提供するためにＣＤＭＡを用いる。これらの概念はまた、広帯域ＣＤＭＡ（Ｗ−ＣＤＭＡ（登録商標））およびＴＤ−ＳＣＤＭＡのようなＣＤＭＡの他の変形例を用いるユニバーサル地上無線アクセス（ＵＴＲＡ）、ＴＤＭＡを用いるモバイル通信のためのグローバルシステム（ＧＳＭ（登録商標））、ＯＦＤＭＡを用いる、発展型ＵＴＲＡ（Ｅ−ＵＴＲＡ）、ウルトラモバイルブロードバンド（ＵＭＢ）、ＩＥＥＥ ８０２．１１（Ｗｉ−Ｆｉ（登録商標））、ＩＥＥＥ ８０２．１６（ＷｉＭＡＸ（登録商標））、ＩＥＥＥ ８０２．２０、およびフラッシュＯＦＤＭにまで拡張されうる。ＵＴＲＡ、Ｅ−ＵＴＲＡ、ＵＭＴＳ、ＬＴＥ、およびＧＳＭは、３ＧＰＰという組織からの文書において説明されている。ＣＤＭＡ２０００およびＵＭＢは、３ＧＰＰ２という組織からの文書において説明されている。用いられる実際のワイヤレス通信規格および多元接続技術は、特定の用途およびシステムに課された設計制約全体に依存するだろう。
【００２８】
[0040]  ｅノードＢ ２０４は、ＭＩＭＯ技術をサポートする多数のアンテナを有しうる。ＭＩＭＯ技術の使用は、ｅノードＢ ２０４が、空間ドメインを利用して、空間多重化、ビームフォーミング、および送信ダイバーシティをサポートすることを可能にさせる。空間多重化は、異なるデータストリームを同一の周波数で同時に送信するために使用されうる。それらのデータストリームは、データレートを増加させるために単一のＵＥ ２０６に、または、全システム容量を増加させるために多数のＵＥ ２０６に、送信されうる。これは、各データストリームを空間的にプリコーディング（すなわち、振幅および位相のスケーリングを適用）し、次に、空間的にプリコーディングされた各ストリームを、ダウンリンクで多数の送信アンテナを通して送信することによって達成される。空間的にプリコーディングされたデータストリームは、異なる空間シグネチャとともにＵＥ ２０６へと到達し、それにより、ＵＥ ２０６の各々は、そのＵＥ ２０６に宛てられた１つまたは複数のデータストリームを復元することができる。アップリンクでは、各ＵＥ ２０６は、空間的にプリコーディングされたデータストリームを送信し、それにより、ｅノードＢ ２０４は、空間的にプリコーティングされた各データストリームのソースを識別することができる。
【００２９】
[0041]  空間多重化は一般に、チャネル状況が良好なときに使用される。チャネル状況がさほど良好でないときには、１つまたは複数の方向に送信エネルギーを集中させるためにビームフォーミングが使用されうる。これは、複数のアンテナを通した送信のためのデータを空間的にプリコーディングすることによって達成されうる。セルの端での良好なカバレッジを達成するために、単一のストリームのビームフォーミング送信が、送信ダイバーシティとの組み合わせで使用されうる。
【００３０】
[0042]  以下に続く詳細な説明では、アクセスネットワークの様々な態様が、ダウンリンクにおいてＯＦＤＭをサポートするＭＩＭＯシステムに関連して説明される。ＯＦＤＭは、ＯＦＤＭシンボル内の多数のサブキャリアにわたってデータを変調する拡散スペクトル技術である。これらのサブキャリアは、精確な周波数間隔があけられている。この間隔は、受信機がこれらのサブキャリアからデータを復元することをできるようにする「直交性」を提供する。時間ドメインでは、ＯＦＤＭシンボル間干渉を抑制する（combat）ために、各ＯＦＤＭシンボルにガードインターバル（例えば、サイクリックプリフィクス）が追加されうる。アップリンクは、高いピーク対平均電力比（ＰＡＰＲ）を補償するために、ＤＦＴ拡散ＯＦＤＭ信号の形態でＳＣ−ＦＤＭＡを使用しうる。
【００３１】
[0043]  図３は、ＬＴＥにおけるダウンリンクフレーム構造の例を例示する図３００である。１つのフレーム（１０ｍｓ）は、１０個の同じサイズのサブフレームへと分割されうる。各サブフレームは、連続した２個の時間スロットを含みうる。リソースグリッドは、２個の時間スロットを表すために使用され、各時間スロットは、リソースブロックを含む。リソースグリッドは、多数のリソースエレメントへと分割される。ＬＴＥでは、１つのリソースブロックは、ノーマルサイクリックプリフィクスの場合、周波数ドメインには、各ＯＦＤＭシンボル内に連続した１２個のサブキャリアを、時間ドメインには、連続した７個のＯＦＤＭシンボルを、すなわち、８４個のリソースエレメントを含む。拡張サイクリックプリフィックスの場合、１つのリソースブロックは、時間ドメインに連続した６個のＯＦＤＭシンボルを含んでおり、７２個のリソースエレメントを有する。Ｒ ３０２、３０４と示されるような、リソースエレメントのうちのいくつかは、ダウンリンク基準信号（ＤＬ−ＲＳ）を含む。ＤＬ−ＲＳは、セル固有のＲＳ（ＣＲＳ）（共通ＲＳと呼ばれることもある）３０２と、ＵＥ固有のＲＳ（ＵＥ−ＲＳ）３０４とを含む。ＵＥ−ＲＳ ３０４は、対応する物理ダウンリンク共有チャネル（ＰＤＳＣＨ）がマッピングされたリソースブロックのみで送信される。各リソースエレメントによって搬送されるビット数は、変調スキームに依存する。ゆえに、ＵＥが受信するリソースブロックが多いほど、および、変調スキームが高度であるほど、そのＵＥのためのデータレートは高くなる。
【００３２】
[0044]  図４は、ＬＴＥにおけるアップリンクフレーム構造の例を例示する図４００である。アップリンクのために利用可能なリソースブロックは、データ部と制御部とに区分されうる。制御部は、システム帯域幅の両端に形成され、設定可能なサイズを有しうる。制御部のリソースブロックは、制御情報の送信のために、ＵＥに割り当てられうる。データ部は、制御部に含まれないすべてのリソースブロックを含みうる。アップリンクフレーム構造は、連続したサブキャリアを含むデータ部に帰着し、それは、単一のＵＥに、データ部内のすべての連続したサブキャリアが割り当てられることを可能にしうる。
【００３３】
[0045]  ＵＥは、ｅノードＢに制御情報を送信するために、制御部内のリソースブロック４１０ａ、４１０ｂが割り当てられうる。ＵＥはまた、ｅノードＢにデータを送信するために、データ部内のリソースブロック４２０ａ、４２０ｂが割り当てられうる。ＵＥは、制御部内の割り当てられたリソースブロック上の物理アップリンク制御チャネル（ＰＵＣＣＨ）で、制御情報を送信しうる。ＵＥは、データ部内の割り当てられたリソースブロック上の物理アップリンク共有チャネル（ＰＵＳＣＨ）で、データのみ、またはデータと制御情報の両方を送信しうる。アップリンク送信は、１つのサブフレームの両スロットに及び、周波数にわたってホッピングしうる。
【００３４】
[0046]  物理ランダムアクセスチャネル（ＰＲＡＣＨ）４３０におけるリソースブロックのセットは、初期システムアクセスを実行し、アップリンクの同期を達成するために使用されうる。ＰＲＡＣＨ ４３０は、ランダムシーケンスを搬送するが、アップリンクデータ／シグナリングを搬送することはできない。各ランダムアクセスプリアンブルは、連続する６個のリソースブロックに対応する帯域幅を占有する。開始周波数は、ネットワークによって指定される。すなわち、ランダムアクセスプリアンブルの送信は、特定の時間周波数リソースに限定される。ＰＲＡＣＨには周波数ホッピングが存在しない。ＰＲＡＣＨの試みは、単一のサブフレーム（１ｍｓ）においてまたは連続した数個のサブフレームのシーケンスにおいて搬送され、ＵＥは、１つのフレーム（１０ｍｓ）につき１つのＰＲＡＣＨの試みをだけを行いうる。
【００３５】
[0047]  図５は、ＬＴＥにおけるユーザプレーンおよび制御プレーンのための無線プロトコルアーキテクチャの例を例示する図５００である。ＵＥおよびｅノードＢのための無線プロトコルアーキテクチャが、レイヤ１、レイヤ２、レイヤ３という３つのレイヤで示される。レイヤ１（Ｌ１レイヤ）は、最下位レイヤであり、物理レイヤの様々な信号処理機能を実現する。Ｌ１レイヤは、本明細書では、物理レイヤ５０６と呼ばれるだろう。レイヤ２（Ｌ２レイヤ）５０８は、物理レイヤ５０６よりも上位にあり、物理レイヤ５０６を通してＵＥとｅノードＢとの間のリンクを担う。
【００３６】
[0048]  ユーザプレーンでは、Ｌ２レイヤ５０８は、媒体アクセス制御（ＭＡＣ）サブレイヤ５１０、無線リンク制御（ＲＬＣ）サブレイヤ５１２、パケットデータコンバージェンスプロトコル（ＰＤＣＰ）５１４サブレイヤを含み、それらは、ネットワーク側のｅノードＢで終端する。示されていないが、ＵＥは、ネットワーク側のＰＤＮゲートウェイ１１８で終端するネットワークレイヤ（例えば、ＩＰレイヤ）および接続の他端（例えば、遠端のＵＥ、サーバ、等）で終端するアプリケーションレイヤを含む、Ｌ２レイヤ５０８よりも上のいくつかの上位レイヤを有することができる。
【００３７】
[0049]  ＰＤＣＰサブレイヤ５１４は、異なる無線ベアラと論理チャネルとの間での多重化を提供する。ＰＤＣＰサブレイヤ５１４はまた、無線送信オーバーヘッドを低減させるために上位レイヤのデータパケットのヘッダの圧縮を提供し、それらのデータパケットを暗号化することによってセキュリティを提供し、ｅノードＢ間でのＵＥのハンドオーバーのサポートを提供する。ＲＬＣサブレイヤ５１２は、上位レイヤのデータパケットのセグメンテーションおよびリアセンブリと、損失データパケットの再送と、ハイブリッド自動再送要求（ＨＡＲＱ）による、順序が乱れた受信を補償するためのデータパケットの並び替えとを提供する。ＭＡＣサブレイヤ５１０は、論理チャネルとトランスポートチャネルとの間での多重化を提供する。ＭＡＣサブレイヤ５１０はまた、１つのセルにおける様々な無線リソース（例えば、リソースブロック）を複数のＵＥ間で割り振ることを担う。ＭＡＣサブレイヤ５１０はまたＨＡＲＱ動作を担う。
【００３８】
[0050]  制御プレーンでは、ＵＥおよびｅノードＢのための無線プロトコルアーキテクチャは、制御プレーンにはヘッダの圧縮機能がないという点を除き、物理レイヤ５０６およびＬ２レイヤ５０８に対して実質的に同一である。制御プレーンはまた、レイヤ３（Ｌ３レイヤ）に無線リソース制御（ＲＲＣ）サブレイヤ５１６を含む。ＲＲＣサブレイヤ５１６は、無線リソース（すなわち、無線ベアラ）を取得することと、ｅノードＢとＵＥとの間でのＲＲＣシグナリングを使用して下位レイヤを構成することとを担う。
【００３９】
[0051]  図６は、アクセスネットワークにおいてＵＥ ６５０と通信状態にあるｅノードＢ ６１０のブロック図である。ダウンリンクでは、コアネットワークからの上位レイヤパケットがコントローラ／プロセッサ６７５に提供される。コントローラ／プロセッサ６７５は、Ｌ２レイヤの機能を実現する。ダウンリンクでは、コントローラ／プロセッサ６７５は、ヘッダの圧縮、暗号化、パケットのセグメンテーションおよび並び替え、論理チャネルとトランスポートチャネルとの間での多重化、様々な優先順位メトリックに基づいたＵＥ ６５０への無線リソースの割り当てを提供する。コントローラ／プロセッサ６７５はまた、ＨＡＲＱ動作、損失パケットの再送、ＵＥ ６５０へのシグナリングを担う。
【００４０】
[0052]  ＴＸプロセッサ６１６は、Ｌ１レイヤ（すなわち、物理レイヤ）のための様々な信号処理機能を実現する。信号処理機能は、ＵＥ ６５０において順方向誤り訂正（ＦＥＣ）を容易にするためにコーディングおよびインターリーブすることと、様々な変調スキーム（例えば、二位相偏移変調（ＢＰＳＫ）、四位相偏移変調（ＱＰＳＫ）、Ｍ位相偏移変調（Ｍ−ＰＳＫ）、Ｍ値直交振幅変調（Ｍ−ＱＡＭ））に基づいて信号コンステレーションにマッピングすることとを含む。次に、コーディングおよび変調されたシンボルは、パラレルな複数のストリームへと分けられる。次に、各ストリームは、ＯＦＤＭサブキャリアにマッピングされ、時間ドメインおよび／または周波数ドメインにおいて基準信号（例えば、パイロット）と多重化され、その後、逆高速フーリエ変換（ＩＦＦＴ）を使用して互いに組み合わせられ、時間ドメインのＯＦＤＭシンボルストリームを搬送する物理チャネルが生成される。ＯＦＤＭストリームは、多数の空間ストリームを生成するために空間的にプリコーディングされる。チャネル推定器６７４からのチャネル推定値が、コーディングおよび変調スキームを判断するためにおよび空間処理のために使用されうる。チャネル推定値は、ＵＥ ６５０によって送信されたチャネル条件フィードバックおよび／または基準信号から導出されうる。次に、各空間ストリームは、別個の送信機６１８ＴＸを介して異なるアンテナ６２０に提供される。各送信機６１８ＴＸは、送信のためにそれぞれの空間ストリームを用いてＲＦキャリアを変調する。
【００４１】
[0053]  ＵＥ ６５０において、各受信機６５４ＲＸは、それのそれぞれのアンテナ６５２を通して信号を受信する。各受信機６５４ＲＸは、ＲＦキャリア上に変調された情報を復元し、その情報を受信機（ＲＸ）プロセッサ６５６に提供する。ＲＸプロセッサ６５６は、Ｌ１レイヤの様々な信号処理機能を実現する。ＲＸプロセッサ６５６は、ＵＥ ６５０に宛てられた任意の空間ストリームを復元するために、その情報に対して空間処理を実行する。多数の空間ストリームがＵＥ ６５０に宛てられている場合、それらは、ＲＸプロセッサ６５６によって、単一のＯＦＤＭシンボルストリームへと組み合されうる。次に、ＲＸプロセッサ６５６は、高速フーリエ変換（ＦＦＴ）を使用して、ＯＦＤＭシンボルストリームを時間ドメインから周波数ドメインへとコンバートする。周波数ドメインの信号は、ＯＦＤＭ信号のサブキャリアごとに別個のＯＦＤＭシンボルストリームを備える。各サブキャリア上のシンボル、および基準信号は、ｅノードＢ ６１０によって送信された最も可能性の高い信号コンステレーションポイントを判断することによって、復元および復調される。これらの軟判定は、チャネル推定器６５８によって計算されたチャネル推定値に基づきうる。次に、これらの軟判定が復号およびデインターリーブされて、初め（originally）ｅノードＢ ６１０によって物理チャネル上で送信されたデータおよび制御信号を復元する。次に、データおよび制御信号が、コントローラ／プロセッサ６５９に提供される。
【００４２】
[0054]  コントローラ／プロセッサ６５９は、Ｌ２レイヤを実現する。コントローラ／プロセッサは、プログラムコードおよびデータを記憶するメモリ６６０に関連付けられうる。メモリ６６０は、コンピュータ可読媒体とも呼ばれうる。アップリンクでは、コントローラ／プロセッサ６５９は、トランスポートチャネルと論理チャネルとの間でのデマルチプレクシング、パケットのリアセンブリ、暗号解読、ヘッダの圧縮解除、制御信号処理を提供して、コアネットワークからの上位レイヤパケットを復元する。次に、上位レイヤのパケットは、Ｌ２レイヤより上位のすべてのプロトコルレイヤを表すデータシンク６６２に提供される。様々な制御信号もまた、Ｌ３処理のために、データシンク６６２に提供されうる。コントローラ／プロセッサ６５９はまた、ＨＡＲＱ動作をサポートするために、肯定応答（ＡＣＫ）および／または否定応答（ＮＡＣＫ）プロトコルを使用した誤り検出を担う。
【００４３】
[0055]  アップリンクでは、コントローラ／プロセッサ６５９に上位レイヤパケットを提供するためにデータソース６６７が使用される。データソース６６７は、Ｌ２レイヤより上位のすべてのプロトコルレイヤを表す。ｅノードＢ ６１０によるダウンリンク送信と関連して説明された機能と同様に、コントローラ／プロセッサ６５９は、ヘッダの圧縮、暗号化、パケットのセグメンテーションおよび並び替え、ｅノードＢ ６１０による無線リソースの割り当てに基づいた論理チャネルとトランスポートチャネルとの間での多重化を提供することにより、ユーザプレーンおよび制御プレーンのためのＬ２レイヤを実現する。コントローラ／プロセッサ６５９はまた、ＨＡＲＱ動作、損失パケットの再送、ｅノードＢ ６１０へのシグナリングを担う。
【００４４】
[0056]  ｅノードＢ ６１０によって送信されたフィードバックまたは基準信号からチャネル推定器６５８によって導出されたチャネル推定値は、適切なコーディングおよび変調スキームを選択するため、および、空間処理を容易にするためにＴＸプロセッサ６６８によって使用されうる。ＴＸプロセッサ６６８によって生成された空間ストリームは、別個の送信機６５４ＴＸを介して異なるアンテナ６５２に提供される。各送信機６５４ＴＸは、送信のためにそれぞれの空間ストリームを用いてＲＦキャリアを変調する。
【００４５】
[0057]  アップリンク送信は、ＵＥ ６５０における受信機機能と関連して説明されたものと同様の方法で、ｅノードＢ ６１０において処理される。各受信機６１８ＲＸは、それのそれぞれのアンテナ６２０を通して信号を受信する。各受信機６１８ＲＸは、ＲＦキャリア上に変調された情報を復元し、その情報をＲＸプロセッサ６７０に提供する。ＲＸプロセッサ６７０はＬ１レイヤを実現しうる。
【００４６】
[0058]  コントローラ／プロセッサ６７５は、Ｌ２レイヤを実現する。コントローラ／プロセッサ６７５は、プログラムコードおよびデータを記憶するメモリ６７６に関連付けられうる。メモリ６７６は、コンピュータ可読媒体とも呼ばれうる。アップリンクでは、コントローラ／プロセッサ６７５は、トランスポートチャネルと論理チャネルとの間でのデマルチプレクシング、パケットのリアセンブリ、暗号解読、ヘッダの圧縮解除、制御信号処理を提供して、ＵＥ ６５０からの上位レイヤパケットを復元する。コントローラ／プロセッサ６７５からの上位レイヤパケットは、コアネットワークに提供されうる。コントローラ／プロセッサ６７５はまた、ＨＡＲＱ動作をサポートするために、ＡＣＫおよび／またはＮＡＣＫプロトコルを使用して誤り検出を担う。
【００４７】
[0059]  リリース１１では、多地点協調（ＣｏＭＰ）送信スキームがサポートされている。ＣｏＭＰは、多数の基地局が、１つまたは複数のＵＥへの送信（ダウンリンクＣｏＭＰ）または１つまたは複数のＵＥからの受信（アップリンクＣｏＭＰ）を協調するスキームを指す。ダウンリンクＣｏＭＰおよびアップリンクＣｏＭＰは、ＵＥに対して、別々にまたは共同して可能にされうる。ＣｏＭＰスキームの例には、共同送信、共同受信、協調ビームフォーミング、および動的ポイント選択が含まれる。共同送信（ＤＬ ＣｏＭＰ）では、多数のｅノードＢが、１つのＵＥに向けられている同一のデータを送信する。共同受信（ＵＬ ＣｏＭＰ）では、多数のｅノードＢが、１つのＵＥに向けられている同一のデータを受信する。協調ビームフォーミングでは、ｅノードＢが、それのＵＥに、隣接セル内のＵＥへの干渉を低減させるために選定されたビームを使用して送信する。動的ポイント選択では、データ送信に関与するセルがサブフレームごとに変わりうる。
【００４８】
[0060]  ＣｏＭＰは、同種ネットワークおよび／または異種ネットワーク（ＨｅｔＮｅｔ）に存在しうる。ＣｏＭＰに関与するノード間の接続は、Ｘ２（いくらかの待ち時間と制限付き帯域幅）でありうるか、またはファイバ（fiber）（最小の待ち時間と「無制限」帯域幅）でありうる。ＨｅｔＮｅｔ ＣｏＭＰでは、低電力ノードは、遠隔無線ヘッド（ＲＲＨ）と呼ばれることがある。
【００４９】
[0061]  拡張物理ダウンリンク制御チャネル（ＥＰＤＣＣＨ）のための基準信号
[0062]  ＬＴＥリリース８／９／１０では、物理ダウンリンク制御チャネル（ＰＤＣＣＨ）のような制御チャネルが、サブフレームの最初の数個のシンボルに位置付けられる。制御チャネルは、システム帯域幅全体に十分に分散される。さらに、制御チャネルは、物理ダウンリンク共有チャネル（ＰＤＳＣＨ）のような共有チャネルと時間多重化（ＴＤＭ化（TDMed））されうる。ゆえに、１つのサブフレームが制御領域とデータ領域とに分割される。
【００５０】
[0063]  ＬＴＥリリース１１では、拡張ＰＤＣＣＨ（ＥＰＤＣＣＨ）のような拡張制御チャネルが紹介されている。サブフレームの最初の数個のシンボルを占有する典型的な制御チャネルとは対照的に、拡張制御チャネルは、共有チャネル（ＰＤＳＣＨ）と同様に、データ領域を占有しうる。拡張制御チャネルは、制御チャネル容量を増加させ、周波数ドメインのセル間干渉協調（ＩＣＩＣ）をサポートし、制御チャネルリソースの空間再利用を改善し、ビームフォーミングおよび／またはダイバーシティをサポートし、新たなキャリアタイプでおよびマルチメディアブロードキャストオーバ単一周波数ネットワーク（ＭＢＳＦＮ）サブフレームにおいて動作し、従来のユーザ機器（ＵＥ）と同一のキャリア上に共存しうる。
【００５１】
[0064]  図７は、様々な拡張制御チャネル構造を例示する。例えば、拡張制御チャネル構造は、典型的な制御チャネル構造と同一でありうる。代替的に、拡張制御チャネルは、ピュアＦＭＤ（pure-FDM）でありうる。オプション的に、代替的な構造では、拡張制御チャネル構造はすべてＴＤＭである。代替的に、拡張制御チャネルは、典型的な制御チャネルと類似しうるが同一ではない。別の代替的な構造では、拡張制御チャネルは、ＴＤＭおよびＦＭＤを組み合わせうる。
【００５２】
[0065]  ＬＴＥリリース１１は、拡張制御チャネルのローカライズド（localized）送信および分散送信の両方をサポートする。さらに、ＬＴＥリリース１１は、拡張制御チャネル復調用基準信号（ＤＭ−ＲＳ）をサポートする。拡張制御チャネル復調は、アンテナポート１０７、１０８、１０９、および１１０を使用しうる。ＰＤＳＣＨのような共有チャネルは、アンテナポート７−１４を使用する。
【００５３】
[0066]  拡張制御チャネルは、周波数分割多重化（ＦＤＭ）に基づく。すなわち、拡張制御チャネルは、第１のスロットおよび第２のスロットの両方に及ぶ。いくつかのケースでは、１つの送信時間インターバル（ＴＴＩ）で受信可能なトランスポートチャネル（ＴｒＣＨ）ビットの最大数には制限がありうる。共有チャネルおよび拡張制御チャネルは、物理リソースブロック（ＰＲＢ）ペア内で多重化されない可能性がある。
【００５４】
[0067]  いくつかのケースでは、多地点協調（ＣｏＭＰ）動作を改善するために、物理ダウンリンク共有チャネル（ＰＤＳＣＨ）のような共有チャネルのための復調用基準信号が、２つの仮想セルＩＤのうちの１つに基づいて初期化されうる。ＰＤＳＣＨに関連付けられた復調用基準信号は、ＵＥ固有基準信号（ＵＥ−ＲＳ）とも呼ばれうる。一構成では、共有チャネル復調用基準信号に対して指定された仮想セルＩＤは、ダウンリンク制御情報（ＤＣＩ）フォーマット２Ｄにおいて、１ビットのスクランブリングＩＤを介して動的に示される。具体的には、各サブフレームの開始時に、共有チャネル復調用基準信号シーケンス生成器は、下記式を用いて初期化されうる：
[0068]  
【数１】
0005969136.tif 000002
【００５５】
[0069]  式１では、ｎＳＣＩＤは、スクランブリングＩＤである。さらに、  
【数２】
0005969136.tif 000003
【００５６】
は、仮想セルＩＤであり、ＵＥ固有の上位レイヤシグナリングによって設定される。  
【数３】
0005969136.tif 000004
【００５７】
の２つの候補値、  
【数４】
0005969136.tif 000005
【００５８】
が設定される。ランク１およびランク２の場合、スクランブリングＩＤ（ｎＳＣＩＤ）は、  
【数５】
0005969136.tif 000006
【００５９】
の動的選択に対して再利用される。代替的に、スクランブリングＩＤ（ｎＳＣＩＤ）は０に等しく、  
【数６】
0005969136.tif 000007
【００６０】
は、ランクが２よりも高いときに使用される。  
【数７】
0005969136.tif 000008
【００６１】
の値は０から５０３の間であり、さらに、ｎは０以上２未満である。
【００６２】
[0070]  前述されたように、拡張制御チャネルは、共有チャネルと同一のデータ領域を占有しうる。拡張制御チャネルおよび共有チャネルが同一のデータ領域を占有することができるため、いくつかのケースでは、拡張制御チャネル復調用基準信号、共有チャネル復調用基準信号、またはそれらの組み合わせによって同一のリソースブロック（ＲＢ）が使用されうる。したがって、干渉ハンドリング、復調、および／または復号のような様々なプロセスを実行するときにＵＥが拡張制御チャネル復調用基準信号と共有チャネル復調用基準信号とを区別することが望まれうる。
【００６３】
[0071]  ＬＴＥリリース１１では、拡張制御チャネル復調用基準信号および共有チャネル復調用基準信号は、同一のスクランブリングシーケンス生成器を使用する。各サブフレームの開始時に、ポート１０７−１１０上での拡張制御チャネル（ＥＰＤＣＣＨ）ＤＭ−ＲＳに対するスクランブリングシーケンス生成器は、以下の式を用いて初期化されうる：
[0072]  
【数８】
0005969136.tif 000009
【００６４】
[0073]  式２では、Ｘは仮想セルＩＤであり、ＵＥ固有の上位レイヤシグナリングによって設定される。共有チャネルのスクランブリングシーケンスについて上述されたように、スクランブリングＩＤ（ｎＳＣＩＤ）は０または１でありうる。さらに、一構成では、拡張制御チャネルスクランブリングシーケンスについて、スクランブリングＩＤ（ｎＳＣＩＤ）の値は、０、１、または２である。例えば、拡張制御チャネルについてのスクランブリングＩＤの値（例えば、２）は、共有チャネルのスクランブリングＩＤに利用可能である可能な値（例えば、０または１）とは異なりうる。結果として、拡張制御チャネル復調用基準信号は、共有チャネル復調用基準信号と区別されうる。
【００６５】
[0074]  拡張制御チャネルに利用可能な異なるスクランブリングＩＤ値は、拡張制御チャネルと共有チャネルとの間での干渉ハンドリング、干渉推定、および／または干渉協調を提供しうる。例えば、スクランブリングＩＤに基づいて、ＵＥは、復調用基準信号が、拡張制御チャネルまたは共有チャネルのために、干渉を引き起こすセルから送信されたかどうかを判断しうる。スクランブリングＩＤは、上述された値に限られず、拡張制御チャネル復調用基準信号と共有チャネル復調用基準信号とを区別するために、スクランブリングシーケンス生成器に提供する任意の値でありうる。
【００６６】
[0075]  追加的に、式２について、仮想セルＩＤの値（Ｘ）はまた、拡張制御チャネル復調用基準信号と、共有制御チャネル復調用基準信号とを区別するために使用されうる。一構成では、仮想セルＩＤは物理セルＩＤと同一でありうる。例えば、拡張制御チャネル復調用基準信号スクランブリングシーケンスについて、仮想セルＩＤは、物理セルＩＤと同一であり、スクランブリングＩＤ（ｎＳＣＩＤ）は２に等しい可能性がある。
【００６７】
[0076]  別の構成では、拡張制御チャネル復調用基準信号スクランブリングシーケンスのための仮想セルＩＤ（Ｘ）は、設定済みのたった１つの仮想セルＩＤにまたは設定済みの２つの仮想セルＩＤのうちの１つに基づいて選択されうる。本構成は、セルオフローディングと負荷分散（load balancing）を改善しうる。例えば、典型的な制御チャネルを使用する第１のセルに関連付けられたＵＥ用の拡張制御チャネルは、第１のセルの負荷を分散するために第２のセルから送信されうる。具体的には、第２のセルの拡張制御チャネル復調用基準信号スクランブリングシーケンスについて、仮想セルＩＤは、第２のセルの物理セルＩＤと同一でありうる。
【００６８】
[0077]  さらに、別の構成では、第２のセルから送信された拡張制御チャネルの仮想セルＩＤは、第１のセルの物理セルＩＤを使用するように設定されうる。すなわち、拡張制御チャネル復調用基準信号は透過的な方法で送信されうる。
【００６９】
[0078]  設定済みの１つの仮想セルＩＤまたは設定済みの２つの仮想セルＩＤのうちの１つに基づいてスクランブリングシーケンスについての仮想セルＩＤを設定することは、ネットワーク複雑性を増加させうる。例えば、拡張制御チャネルに対して２つの仮想セルＩＤが設定される場合、各復号候補が拡張制御チャネルのための２つの仮想セルＩＤに関連付けられるときに、増加した数のブラインド復号が特定されうる。
【００７０】
[0079]  さらに、拡張制御チャネルに対して２つの仮想セルＩＤが設定される（configured）とき、最大数のブラインド復号が維持されうる。一構成では、最大数のブラインド復号が、各拡張制御チャネル復号候補を特定の仮想セルＩＤと関連付けることで維持される。別の構成では、最大数のブラインド復号は、各拡張制御チャネルセットを特定の仮想セルＩＤと関連付けることで維持される。さらに別の構成では、最大数のブラインド復号は、各物理リソースブロック（ＰＲＢ）ペアを特定の仮想セルＩＤと関連付けることで維持される。
【００７１】
[0080]  さらに、拡張制御チャネルに対して２つの仮想セルＩＤが設定されると、特定の数のブラインド復号を維持するために、特定のルールが規定されシグナリングされうる。さらに、拡張制御チャネル仮想セルＩＤのセットと共有チャネル仮想セルＩＤのセットとを別々に設定することが望まれうる。追加的に、一構成では、別々に設定されることに加えて、拡張制御チャネル仮想セルＩＤおよび共有チャネル仮想セルＩＤのセットは、異なる値を使用する。結果として、ＵＥは、拡張制御チャネル仮想セルＩＤのセットおよび共有チャネル仮想セルＩＤのセットが別々に設定されかつ異なる値が与えられているとき、拡張制御チャネルと共有チャネルとを区別することによって干渉ハンドリングを改善しうる。
【００７２】
[0081]  別の構成では、２つ以上のＵＥが、マルチユーザ多入力多出力（ＭＵ−ＭＩＭＯ）動作で同一のリソースブロックを共有しうる。しかしながら、各ＵＥは、それがＭＵ−ＭＩＭＯ動作において同一のリソースブロックを他のＵＥと共有していることに気づいていない。仮想セルＩＤがＵＥに対して１つのリソースブロックで使用される場合、ＵＥは、同一の仮想セルＩＤから導出された同一のＵＥ基準信号シーケンスまたは復調用基準信号シーケンスに加えて異なる直交カバーコード（例えば、ウォルシュコード）を使用することによって、他のＵＥが同一のリソースブロックを共有していると想定しうる。追加的に、ＵＥは、同一のリソースブロック（例えば、ＭＵ−ＭＩＭＯ動作）で他のＵＥに対して信号がターゲットされているかどうかを検出しうる。他のＵＥへの信号の検出は、ＵＥの干渉ハンドリングを改善しうる。
【００７３】
[0082]  図８Ａは、本開示の一態様に準じた、ＥＰＤＣＣＨ  ＤＭ−ＲＳのような拡張制御チャネル復調用基準信号を送信するための方法８０１を例示する。ブロック８１２では、ｅノードＢは、第１のスクランブリングＩＤに基づいて第１の基準信号を生成する。ブロック８１４では、ｅノードＢは、第２のスクランブリングＩＤに基づいて第２の基準信号を生成する。第２のスクランブリングＩＤは、第１のスクランブリングＩＤとは異なる。追加的に、ブロック８１８では、ｅノードＢは、制御チャネルのために第１の基準信号を送信する。最後に、ブロック８２０では、ｅノードＢは、データチャネルのために第２の基準信号を送信する。
【００７４】
[0083]  図８Ｂは、復調用基準信号が拡張制御チャネルに関連付けられているか共有チャネルに関連付けられているかを判断するための方法８０２を例示する。ブロック８２２では、ＵＥは基準信号を受信する。ブロック８２４では、ＵＥは、基準信号が制御チャネルに関連付けられているかデータチャネルに関連付けられているかを判断する。この判断は、スクランブリングＩＤに基づく。
【００７５】
[0084]  図９は、処理システム９１４を用いる装置９００のためのハードウェア実現の例を例示する図である。処理システム９１４は、概してバス９２４で表されるバスアーキテクチャを用いて実現されうる。バス９２４は、処理システム９１４の特定の用途と設計制約全体に依存して、任意の数の相互接続バスおよびブリッジを含みうる。バス９２４は、プロセッサ９０４およびコンピュータ可読媒体９０６で表される１つまたは複数のプロセッサおよび／またはハードウェアモジュールを含む様々な回路を互いにリンクさせる。追加的に、バスはまた、モジュール９１６および９１８のような様々なモジュールをリンクさせうる。バス９２４はまた、タイミングソース、周辺機器、電圧レギュレータ、および電力管理回路のような様々な他の回路をリンクさせうるが、これらは当技術分野において周知であるためこれ以上は説明されないだろう。
【００７６】
[0085]  装置は、トランシーバ９１０に結合された処理システム９１４を含む。トランシーバ９１０は、１つまたは複数のアンテナ９２０に結合される。トランシーバ９１０は、送信媒体を通して様々な他の装置と通信することを可能にする。処理システム９１４は、コンピュータ可読媒体９０６に結合されたプロセッサ９０４を含む。プロセッサ１９４は、コンピュータ可読媒体９０６に記憶されたソフトウェアの実行を含む汎用処理を担う。ソフトウェアは、プロセッサ９０４によって実行されると、処理システム９１４に、任意の特定の装置に関して説明された様々な機能を実行させる。コンピュータ可読媒体９０６はまた、ソフトウェアを実行するときにプロセッサ９０４によって操作される（manipulated）データを格納するために使用されうる。
【００７７】
[0086]  装置９００は、第１のスクランブリングＩＤに少なくとも部分的に基づいて第１の基準信号を生成する生成モジュール９１６を含む。生成モジュール９１６はまた、第２のスクランブリングＩＤに少なくとも部分的に基づいて第２の基準信号を生成しうる。第２のスクランブリングＩＤは、第１のスクランブリングＩＤとは異なる。装置９００はまた、制御チャネルのために第１の基準信号を送信する送信モジュール９１８を含む。送信モジュール９１８は、また、データチャネルのために第２の基準信号を送信しうる。第１の基準信号についてのスクランブリング識別子が、共有チャネルの第２の基準信号に対して使用されたスクランブリング識別子とは異なるため、第１の基準信号は、第２の基準信号と区別されることができる。モジュールは、説明されたプロセス／アルゴリズムを実行するように特に構成され、説明されたプロセス／アルゴリズムを実行するように構成されたプロセッサによって実現され、プロセッサによる実現のためにコンピュータ可読媒体内に記憶され、またはそれらの何らかの組み合わせである、１つまたは複数のハードウェア構成要素でありうる。
【００７８】
[0087]  本開示の一態様では、ｅノードＢ ６１０は、ワイヤレス通信のために構成され、生成するための手段を含む。一構成では、生成するための手段は、処理する手段によって列挙された機能を実行するように構成されたコントローラ／プロセッサ６７５、生成モジュール９１６、処理システム９１４、メモリ６７６、および／または送信プロセッサ６１６でありうる。ｅノードＢ ６１０はまた、送信するための手段を含むように構成される。一構成では、送信するための手段は、送信する手段によって列挙された機能を実行するように構成された送信プロセッサ６１６、変調器６１８、コントローラ／プロセッサ６７５、送信モジュール９１８、処理システム９１４、および／またはアンテナ６２０を含みうる。別の構成では、上述された手段は、上述された手段によって列挙された機能を実行するように構成された任意のモジュールまたは任意の装置でありうる。
【００７９】
[0088]  図１０は、処理システム１０１４を用いる装置１０００のためのハードウェア実現の例を例示する図である。処理システム１０１４は、概してバス１０２４で表されるバスアーキテクチャを用いて実現されうる。バス１０２４は、処理システム１０１４の特定の用途と設計制約全体に依存して、任意の数の相互接続バスおよびブリッジを含みうる。バス１０２４は、プロセッサ１００４およびコンピュータ可読媒体１００６で表される１つまたは複数のプロセッサおよび／またはハードウェアモジュールを含む様々な回路を互いにリンクさせる。追加的に、バスはまた、モジュール１０１６および１０１８のような様々なモジュールをリンクさせうる。バス１０２４はまた、タイミングソース、周辺機器、電圧レギュレータ、および電力管理回路のような様々な他の回路をリンクさせうるが、これらは当技術分野において周知であるためこれ以上は説明されないだろう。
【００８０】
[0089]  装置は、トランシーバ１０１０に結合された処理システム１０１４を含む。トランシーバ１０１０は、１つまたは複数のアンテナ１０２０に結合される。トランシーバ１０１０は、送信媒体を通して様々な他の装置と通信することを可能にする。処理システム１０１４は、コンピュータ可読媒体１００６に結合されたプロセッサ１００４を含む。プロセッサ１００４は、コンピュータ可読媒体１００６に記憶されたソフトウェアの実行を含む汎用処理を担う。ソフトウェアは、プロセッサ１００４によって実行されると、処理システム１０１４に、任意の特定の装置に関して説明された様々な機能を実行させる。コンピュータ可読媒体１００６はまた、ソフトウェアを実行するときにプロセッサ１００４によって操作されるデータを格納するために使用されうる。
【００８１】
[0090]  処理システムは、受信モジュール１０１６と判断モジュール１０１８とを含みうる。受信モジュール１０１６は、基準信号を受信することができる。判断モジュール１０１８は、基準信号が制御チャネルに関連付けられているかデータチャネルに関連付けられているかを、スクランブリングＩＤに少なくとも部分的に基づいて判断することができる。モジュール１０１６、１０１８は、プロセッサ１００４内において稼働中のソフトウェアモジュール、コンピュータ可読媒体１００６内に存在する／記憶されたソフトウェアモジュール、プロセッサ１００４に結合された１つまたは複数のハードウェアモジュール、またはそれらの何らかの組み合わせでありうる。処理システム１０１４は、モジュールのうちの１つまたは両方のモジュールを含みうる。処理システム１０１４は、ＵＥ ６５０の構成要素でありえ、メモリ６６０、送信プロセッサ６６８、受信プロセッサ６５６、変調器／復調器６５４、アンテナ６５２、および／またはコントローラ／プロセッサ６５９を含みうる。
【００８２】
[0091]  本開示の一態様では、ＵＥ ６５０は、ワイヤレス通信のために構成され、受信するための手段を含む。一構成では、受信する手段は、受信する手段によって列挙された機能を実行するように構成された受信プロセッサ６５６、変調器６４４、アンテナ６５２、コントローラ／プロセッサ６５９、受信モジュール１０１６、処理システム１０１４、および／またはメモリ６６０でありうる。ＵＥ ６５０はまた、判断するための手段を含むように構成される。一構成では、判断する手段は、判断する手段によって列挙された機能を実行するように構成されたコントローラ／プロセッサ６５９、メモリ６６０、判断モジュール１０１８、処理システム１０１４、および／または受信プロセッサ６５６でありうる。別の態様では、上述された手段は、上述された手段によって列挙された機能を実行するように構成された任意のモジュールまたは任意の装置でありうる。
【００８３】
[0092]  図１１は、基準信号が拡張制御チャネルに関連付けられているか共有チャネルに関連付けられているか判断するための方法１１００を例示する。ブロック１１０２において、ＵＥは、セルから基準信号を受信する。ブロック１１０４において、ＵＥは、基準信号に関連付けられたチャネルを判断し、このチャネルは、制御チャネルまたはデータチャネルである。ブロック１１０６において、ＵＥは、基準信号についてのスクランブリングＩＤを、判断されたチャネルに基づいて判断する。最後に、ブロック１１０８において、ＵＥは、判断されたスクランブリング識別子に少なくとも部分的に基づいて、判断されたチャネルを処理する。
【００８４】
[0093]  図１２は、処理システム１２１４を用いる装置１２００のためのハードウェア実現の例を例示する図である。処理システム１２１４は、概してバス１２２４で表されるバスアーキテクチャを用いて実現されうる。バス１２２４は、処理システム１２１４の特定の用途と設計制約全体に依存して、任意の数の相互接続バスおよびブリッジを含みうる。バス１２２４は、プロセッサ１２０４およびコンピュータ可読媒体１２０６で表される１つまたは複数のプロセッサおよび／またはハードウェアモジュールを含む様々な回路を互いにリンクさせる。追加的に、バスはまた、モジュール１２１６、１２１８、および１２２２のような様々なモジュールをリンクさせうる。バス１２２４はまた、タイミングソース、周辺機器、電圧レギュレータ、および電力管理回路のような様々な他の回路をリンクさせうるが、これらは当技術分野において周知であるためこれ以上は説明されないだろう。
【００８５】
[0094]  装置は、トランシーバ１２１０に結合された処理システム１２１４を含む。トランシーバ１２１０は、１つまたは複数のアンテナ１２２０に結合される。トランシーバ１２１０は、送信媒体を通して様々な他の装置と通信することを可能にする。処理システム１２１４は、コンピュータ可読媒体１２０６に結合されたプロセッサ１２０４を含む。プロセッサ１１２４は、コンピュータ可読媒体１２０６に記憶されたソフトウェアの実行を含む汎用処理を担う。ソフトウェアは、プロセッサ１２０４によって実行されると、処理システム１２１４に、任意の特定の装置に関して説明された様々な機能を実行させる。コンピュータ可読媒体１２０６はまた、ソフトウェアを実行するときにプロセッサ１２０４によって操作されるデータを格納するために使用されうる。
【００８６】
[0095]  装置１２００は、セルから基準信号を受信する受信モジュール１２１６を含む。装置１２００はまた、基準信号に関連付けられたチャネルを判断する判断モジュール１２１８を含む。チャネルは、制御チャネルまたはデータチャネルのいずれかである。判断モジュール１２１８はまた、基準信号についてのスクランブリングＩＤを、判断されたチャネルに基づいて判断する。一構成では、判断モジュール１２１８は、別個のモジュール（示されない）でありうる。さらに、装置１２００は、判断されたチャネルを、判断されたスクランブリング識別子に少なくとも部分的に基づいて処理するための処理モジュール１２２２をさらに含む。モジュールは、説明されたプロセス／アルゴリズムを実行するように特に構成され、説明されたプロセス／アルゴリズムを実行するように構成されたプロセッサによって実現され、プロセッサによる実現のためにコンピュータ可読媒体内に記憶され、またはそれらの何らかの組み合わせである、１つまたは複数のハードウェア構成要素でありうる。
【００８７】
[0096]  本開示の一態様では、ＵＥ ６５０は、ワイヤレス通信のために構成され、受信する手段を含む。一構成では、受信する手段は、受信する手段によって列挙された機能を実行するように構成された受信プロセッサ６５６、変調器６４４、アンテナ６５２、コントローラ／プロセッサ６５９、受信モジュール１２１６、処理システム１２１４、および／またはメモリ６６０でありうる。ＵＥ ６５０はまた、判断するための手段を含むように構成される。一構成では、判断する手段は、判断する手段によって列挙された機能を実行するように構成されたコントローラ／プロセッサ６５９、メモリ６６０、判断モジュール１２１８、および／または処理システム１２１４でありうる。ＵＥ ６５０はまた、処理するための手段を含むように構成される。一構成では、判断する手段は、処理する手段によって列挙された機能を実行するように構成されたコントローラ／プロセッサ６５９、メモリ６６０、処理モジュール１２２２、および／または処理システム１２１４でありうる。別の態様では、上述された手段は、上述された手段によって列挙された機能を実行するように構成された任意のモジュールまたは任意の装置でありうる。
【００８８】
[0097]  当業者は、本明細書の開示と関連して説明された実例となる様々な論理ブロック、モジュール、回路、およびアルゴリズムのステップが、電子ハードウェアとして、コンピュータソフトウェアとして、または両者の組み合わせとして実現されうることをさらに認識するだろう。ハードウェアとソフトウェアとのこの互換性を明確に例示するために、実例となる様々な構成要素、ブロック、モジュール、回路、およびステップが、概ねそれらの機能の観点で上述されている。そのような機能がハードウェアとして実現されるかソフトウェアとして実現されるかは、特定の用途と、システム全体に課せられる設計制約とに依存する。当業者は、特定の用途ごとに、説明された機能を様々な方法で実現しうるが、そのような実現の決定は本開示の適用範囲からの逸脱の原因になるとして解釈されるべきではない。
【００８９】
[0098]  本明細書の開示と関連して説明された実例となる様々な論理ブロック、モジュール、回路は、汎用プロセッサ、デジタルシグナルプロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェア構成要素、あるいは、本明細書で説明された機能を実行するよう設計されたそれらの任意の組み合わせで実現または実行されうる。汎用プロセッサは、マイクロプロセッサでありうるが、代替的に、このプロセッサは、任意の従来のプロセッサ、コントローラ、マイクロコントローラ、またはステートマシンでありうる。プロセッサはまた、例えば、ＤＳＰと、１つのマイクロプロセッサ、複数のマイクロプロセッサ、ＤＳＰコアと連携した１つまたは複数のマイクロプロセッサ、またはその他のそのような構成との組み合わせといった、コンピューティングデバイスの組み合わせとして実現されうる。
【００９０】
[0099]  本明細書の開示と関連して説明された方法またはアルゴリズムのステップは、直接的にハードウェアで、プロセッサによって実行されるソフトウェアモジュールで、または両者の組み合わせで具現化されうる。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバルディスク、ＣＤ−ＲＯＭ、または当技術分野で周知のその他の形式の記憶媒体内に存在しうる。例示的な記憶媒体は、プロセッサが記憶媒体から情報を読み取ることおよび記憶媒体に情報を書き込むことができるように、プロセッサに結合される。代替的に、記憶媒体はプロセッサに一体化されうる。プロセッサおよび記憶媒体はＡＳＩＣ内に存在しうる。ＡＳＩＣはユーザ端末内に存在しうる。代替的に、プロセッサおよび記憶媒体は、ユーザ端末内のディスクリート構成要素として存在しうる。
【００９１】
[0100]  １つまたは複数の例示的な設計では、説明された機能は、ハードウェアで、ソフトウェアで、ファームウェアで、またはこれらの任意の組み合わせで実現されうる。ソフトウェアで実現される場合、これらの機能は、コンピュータ可読媒体上の１つまたは複数の命令またはコードとして記憶または送信されうる。コンピュータ可読媒体は、ある場所から別の場所へのコンピュータプログラムの転送を容易にする任意の媒体を含む通信媒体およびコンピュータ記憶媒体の両方を含む。記憶媒体は、汎用コンピュータまたは専用コンピュータによりアクセスされることができる任意の利用可能な媒体でありうる。限定ではなく例として、そのようなコンピュータ可読媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、データ構造または命令の形式で所望のプログラムコード手段を記憶または搬送するために使用されることができ、かつ汎用コンピュータまたは専用コンピュータあるいは汎用プロセッサまたは専用プロセッサによってアクセスされることができるその他の媒体を備えうる。また、いずれの接続も、厳密にはコンピュータ可読媒体と称される。例えば、ソフトウェアが、ウェブサイト、サーバ、または他の遠隔ソースから、同軸ケーブル、光ファイバーケーブル、ツイストペア、デジタル加入者回線（ＤＳＬ）、または赤外線、電波、およびマイクロ波のようなワイヤレス技術を使用して送信される場合、この同軸ケーブル、光ファイバーケーブル、ツイストペア、ＤＳＬ、または赤外線、電波、およびマイクロ波のようなワイヤレス技術は、媒体の定義に含まれる。ディスク（ｄｉｓｋ）とディスク（ｄｉｓｃ）は、本明細書で使用される場合、コンパクトディスク（登録商標）（ＣＤ）、レーザーディスク、光ディスク、デジタル多用途ディスク（ＤＶＤ）、フロッピー（登録商標）ディスク、ブルーレイ（登録商標）ディスクを含み、ディスク（ｄｉｓｋ）は、通常磁気作用によってデータを再生し、ディスク（ｄｉｓｃ）はレーザーで光学的にデータを再生する。上記の組み合わせもまた、コンピュータ可読媒体の適用範囲内に含まれるべきである。
【００９２】
[0101]  本開示の先の説明は、当業者が本開示を実行または使用することを可能にするために提供される。本開示に対する様々な改良は、当業者には容易に明らかであり、本明細書で定義された包括的な原理は、本開示の精神または範囲から逸脱せずに、他の変形に適用されうる。したがって、本開示は、本明細書で説明された例および設計に限定されることを意図しておらず、本明細書に開示された原理および新規な特徴と合致する最も広い範囲が与えられるべきである。
以下に本願の出願当初の特許請求の範囲に記載された発明を付記する。
[Ｃ１]  ワイヤレス通信の方法であって、
第１のスクランブリング識別子（ＩＤ）に少なくとも部分的に基づいて第１の基準信号を生成することと、
前記第１のスクランブリングＩＤとは異なる第２のスクランブリングＩＤに少なくとも部分的に基づいて第２の基準信号を生成することと、
制御チャネルのために前記第１の基準信号を送信することと、
データチャネルのために前記第２の基準信号を送信することと
を備える方法。
[Ｃ２]  前記第１のスクランブリングＩＤは２の値を有し、前記第２のスクランブリングＩＤは０または１の値を有する、Ｃ１に記載の方法。
[Ｃ３]  前記第１の基準信号は、復調用基準信号（ＤＭ−ＲＳ）を備える、Ｃ１に記載の方法。
[Ｃ４]  前記制御チャネルは、拡張物理ダウンリンク制御チャネル（ＥＰＤＣＣＨ）を備え、前記データチャネルは、物理ダウンリンク共有チャネル（ＰＤＳＣＨ）を備える、Ｃ１に記載の方法。
[Ｃ５]  前記第１の基準信号は、また、セル識別子に少なくとも部分的に基づく、Ｃ１に記載の方法。
[Ｃ６]  前記セル識別子は、物理セル識別子（ＰＣＩ）を備える、Ｃ５に記載の方法。
[Ｃ７]  前記セル識別子は、仮想セル識別子を備える、Ｃ５に記載の方法。
[Ｃ８]  ワイヤレス通信の方法であって、
基準信号を受信することと、
前記基準信号が、制御チャネルに関連付けられているかデータチャネルに関連付けられているかを、スクランブリング識別子（ＩＤ）に少なくとも部分的に基づいて判断することと
を備える方法。
[Ｃ９]  前記基準信号は、復調用基準信号（ＤＭ−ＲＳ）を備える、Ｃ８に記載の方法。
[Ｃ１０]  前記制御チャネルは、拡張物理ダウンリンク制御チャネル（ＥＰＤＣＣＨ）を備え、前記データチャネルは、物理ダウンリンク共有チャネル（ＰＤＳＣＨ）を備える、Ｃ８に記載の方法。
[Ｃ１１]  前記スクランブリングＩＤが２の値を有するとき、前記基準信号は前記制御チャネルに関連付けられていると判断され、スクランブリングＩＤが０または１の値を有するとき、前記基準信号は前記データチャネルに関連付けられていると判断される、Ｃ８に記載の方法。
[Ｃ１２]  前記基準信号は、前記制御チャネルおよび前記データチャネルに共通したセル識別子にさらに基づく、Ｃ８に記載の方法。
[Ｃ１３]  前記基準信号は、
前記制御チャネルについての第１のセル識別子と、
前記データチャネルについての第２のセル識別子と
にさらに基づき、前記第２のセル識別子は、前記第１のセル識別子とは異なる、Ｃ８に記載の方法。
[Ｃ１４]  前記基準信号は、物理リソースブロック（ＰＲＢ）内で受信される、Ｃ８に記載の方法。
[Ｃ１５]  ワイヤレス通信の方法であって、
セルから基準信号を受信することと、
前記基準信号に関連付けられたチャネルを判断することと、ここで、前記チャネルは、制御チャネルまたはデータチャネルである、
前記判断されたチャネルに基づいて前記基準信号についてのスクランブリング識別子（ＩＤ）を判断することと、
前記判断されたスクランブリングＩＤに少なくとも部分的に基づいて前記判断されたチャネルを処理することと
を備える方法。
[Ｃ１６]  前記制御チャネルについて、前記スクランブリングＩＤは２の値を有し、
前記データチャネルについて、前記スクランブリングＩＤは０または１の値を有する、
Ｃ１５に記載の方法。
[Ｃ１７]  前記基準信号は、復調用基準信号（ＤＭ−ＲＳ）を備える、Ｃ１５に記載の方法。
[Ｃ１８]  前記制御チャネルは、拡張物理ダウンリンク制御チャネル（ＥＰＤＣＣＨ）を備え、前記データチャネルは、物理ダウンリンク共有チャネル（ＰＤＳＣＨ）を備える、Ｃ１５に記載の方法。
[Ｃ１９]  前記基準信号は、セル識別子にさらに基づく、Ｃ１５に記載の方法。
[Ｃ２０]  前記セル識別子は、物理セル識別子（ＰＣＩ）を備える、Ｃ１９に記載の方法。
[Ｃ２１]  前記セル識別子は、仮想セル識別子を備える、Ｃ１９に記載の方法。
[Ｃ２２]  前記基準信号は、物理リソースブロック（ＰＲＢ）内で受信される、Ｃ１５に記載の方法。
[Ｃ２３]  ワイヤレス通信のための装置であって、
メモリと、
前記メモリに結合された少なくとも１つのプロセッサと
を備え、前記少なくとも１つのプロセッサは、
第１のスクランブリング識別子（ＩＤ）に少なくとも部分的に基づいて第１の基準信号を生成することと、
前記第１のスクランブリングＩＤとは異なる第２のスクランブリングＩＤに少なくとも部分的に基づいて第２の基準信号を生成することと、
制御チャネルのために前記第１の基準信号を送信することと、
データチャネルのために前記第２の基準信号を送信することと
を行うように構成される、装置。
[Ｃ２４]  前記第１のスクランブリングＩＤは２の値を有し、
前記第２のスクランブリングＩＤは０または１の値を有する、
Ｃ２３に記載の装置。
[Ｃ２５]  前記第１の基準信号は、復調用基準信号（ＤＭ−ＲＳ）を備える、Ｃ２３に記載の装置。
[Ｃ２６]  前記制御チャネルは、拡張物理ダウンリンク制御チャネル（ＥＰＤＣＣＨ）を備え、前記データチャネルは、物理ダウンリンク共有チャネル（ＰＤＳＣＨ）を備える、Ｃ２３に記載の装置。
[Ｃ２７]  前記第１の基準信号は、セル識別子にさらに基づく、Ｃ２３に記載の装置。
[Ｃ２８]  前記セル識別子は、物理セル識別子（ＰＣＩ）を備える、Ｃ２７に記載の装置。
[Ｃ２９]  前記セル識別子は、仮想セル識別子を備える、Ｃ２７に記載の装置。
[Ｃ３０]  ワイヤレス通信のための装置であって、
メモリと、
前記メモリに結合された少なくとも１つのプロセッサと
を備え、前記少なくとも１つのプロセッサは、
基準信号を受信することと、
前記基準信号が制御チャネルに関連付けられているかデータチャネルに関連付けられているかを、スクランブリング識別子（ＩＤ）に少なくとも部分的に基づいて判断することと
を行うように構成される、装置。
[Ｃ３１]  前記基準信号は、復調用基準信号（ＤＭ−ＲＳ）を備える、Ｃ３０に記載の装置。
[Ｃ３２]  前記制御チャネルは、拡張物理ダウンリンク制御チャネル（ＥＰＤＣＣＨ）を備え、前記データチャネルは、物理ダウンリンク共有チャネル（ＰＤＳＣＨ）を備える、Ｃ３０に記載の装置。
[Ｃ３３]  前記少なくとも１つのプロセッサはさらに、
前記スクランブリングＩＤが２の値を有するとき、前記基準信号は前記制御チャネルに関連付けられていると判断することと、
スクランブリングＩＤが０または１の値を有するとき、前記基準信号は前記データチャネルに関連付けられていると判断することと
を行うように構成される、Ｃ３０に記載の装置。
[Ｃ３４]  前記基準信号は、前記制御チャネルおよび前記データチャネルに共通したセル識別子にさらに基づく、Ｃ３０に記載の装置。
[Ｃ３５]  前記基準信号は、
前記制御チャネルについての第１のセル識別子と、
前記第１のセル識別子とは異なる、前記データチャネルについての第２のセル識別子と
にさらに基づく、Ｃ３０に記載の装置。
[Ｃ３６]  前記基準信号は、物理リソースブロック（ＰＲＢ）内で受信される、Ｃ３０に記載の装置。
[Ｃ３７]  ワイヤレス通信のための装置であって、
メモリと、
前記メモリに結合された少なくとも１つのプロセッサと
を備え、前記少なくとも１つのプロセッサは、
セルから基準信号を受信することと、
前記基準信号に関連付けられたチャネルを判断することと、ここで、前記チャネルは、制御チャネルまたはデータチャネルである、
前記判断されたチャネルに基づいて前記基準信号についてのスクランブリング識別子（ＩＤ）を判断することと、
前記判断されたスクランブリングＩＤに少なくとも部分的に基づいて前記判断されたチャネルを処理することと
を行うように構成される、装置。
[Ｃ３８]  前記制御チャネルについて、前記スクランブリングＩＤは２の値を有し、
前記データチャネルについて、前記スクランブリングＩＤは０または１の値を有する、
Ｃ３７に記載の装置。
[Ｃ３９]  前記基準信号は、復調用基準信号（ＤＭ−ＲＳ）を備える、Ｃ３７に記載の装置。
[Ｃ４０]  前記制御チャネルは、拡張物理ダウンリンク制御チャネル（ＥＰＤＣＣＨ）を備え、前記データチャネルは、物理ダウンリンク共有チャネル（ＰＤＳＣＨ）を備える、Ｃ３７に記載の装置。
[Ｃ４１]  前記基準信号は、セル識別子にさらに基づく、Ｃ３７に記載の装置。
[Ｃ４２]  前記セル識別子は、物理セル識別子（ＰＣＩ）を備える、Ｃ４１に記載の装置。
[Ｃ４３]  前記セル識別子は、仮想セル識別子を備える、Ｃ４１に記載の装置。
[Ｃ４４]  前記基準信号は、物理リソースブロック（ＰＲＢ）内で受信されることを備える、Ｃ３７に記載の装置。
[Ｃ４５]  ワイヤレス通信のための装置であって、
第１のスクランブリング識別子（ＩＤ）に少なくとも部分的に基づいて第１の基準信号を生成するための手段と、
前記第１のスクランブリングＩＤとは異なる第２のスクランブリングＩＤに少なくとも部分的に基づいて第２の基準信号を生成するための手段と、
制御チャネルのために前記第１の基準信号を送信するための手段と、
データチャネルのために前記第２の基準信号を送信するための手段と
を備える装置。
[Ｃ４６]  ワイヤレス通信のための装置であって、
基準信号を受信するための手段と、
前記基準信号が制御チャネルに関連付けられているかデータチャネルに関連付けられているかを、スクランブリング識別子（ＩＤ）に少なくとも部分的に基づいて判断するための手段と
を備える装置。
[Ｃ４７]  ワイヤレス通信のための装置であって、
セルから基準信号を受信するための手段と、
前記基準信号に関連付けられたチャネルを判断するための手段と、ここで、前記チャネルは、制御チャネルまたはデータチャネルである、
前記基準信号についてのスクランブリング識別子（ＩＤ）を、前記判断されたチャネルに基づいて判断するための手段と、
前記判断されたスクランブリングＩＤに少なくとも部分的に基づいて、前記判断されたチャネルを処理するための手段と
を備える装置。
[Ｃ４８]  ワイヤレス通信のためのコンピュータプログラム製品あって、前記コンピュータプログラム製品は、記録されたプログラムコードを有する非一時的コンピュータ可読媒体を備え、前記プログラムコードは、
第１のスクランブリング識別子（ＩＤ）に少なくとも部分的に基づいて第１の基準信号を生成するためのプログラムコードと、前記第１のスクランブリングＩＤとは異なる第２のスクランブリングＩＤに少なくとも部分的に基づいて第２の基準信号を生成するためのプログラムコードと、
制御チャネルのために前記第１の基準信号を送信するためのプログラムコードと、
データチャネルのために前記第２の基準信号を送信するためのプログラムコードと
を備える、コンピュータプログラム製品。
[Ｃ４９]  ワイヤレス通信のためのコンピュータプログラム製品あって、前記コンピュータプログラム製品は、記録されたプログラムコードを有する非一時的コンピュータ可読媒体を備え、前記プログラムコードは、
基準信号を受信するためのプログラムコードと、
前記基準信号が制御チャネルに関連付けられているかデータチャネルに関連付けられているかを、スクランブリング識別子（ＩＤ）に少なくとも部分的に基づいて判断するためのプログラムコードと
を備える、コンピュータプログラム製品。
[Ｃ５０]  ワイヤレス通信のためのコンピュータプログラム製品あって、前記コンピュータプログラム製品は、記録されたプログラムコードを有する非一時的コンピュータ可読媒体を備え、前記プログラムコードは、
セルから基準信号を受信するためのプログラムコードと、
前記基準信号に関連付けられたチャネルを判断するためのプログラムコードと、ここで、前記チャネルは、制御チャネルまたはデータチャネルである、
前記基準信号についてのスクランブリング識別子（ＩＤ）を、前記判断されたチャネルに基づいて判断するためのプログラムコードと、
前記判断されたスクランブリングＩＤに少なくとも部分的に基づいて、前記判断されたチャネルを処理するためのプログラムコードと
を備える、コンピュータプログラム製品。
【図１】
0005969136.tif 000010
【図２】
0005969136.tif 000011
【図３】
0005969136.tif 000012
【図４】
0005969136.tif 000013
【図５】
0005969136.tif 000014
【図６】
0005969136.tif 000015
【図７】
0005969136.tif 000016
【図８Ａ】
0005969136.tif 000017
【図８Ｂ】
0005969136.tif 000018
【図９】
0005969136.tif 000019
【図１０】
0005969136.tif 000020
【図１１】
0005969136.tif 000021
【図１２】
0005969136.tif 000022